(57)【特許請求の範囲】
【請求項１】
ショットを打つ前にプレイヤーの裁量により構成変更可能でコンパクトなゴルフクラブセットであって、該ゴルフクラブセットは、
伸縮式ハンドル（１１０）により複数の個別の長さ方向位置（１６５）において長さを調整可能な少なくとも１つのシャフト（１００）であって、ヘッド交換機構（１７０）を備える前記長さを調整可能なシャフト（１００）と、
前記長さを調整可能なシャフト（１００）における少なくとも１つの交換可能なヘッド（２００、３００、４００）であって、選択可能な固定ロフトのヘッド（２０１、３０１、４０１）およびロフトを調整可能なヘッド（２０２、３０２）を有し、前記ロフトを調整可能なヘッドは、調整可能なロフト機構（５００ａ、５００ｂ）と、ソール（５０４）とを備え、該ソールの幾何学的形状部（５４５）は、各調整されたロフト角（５０９ａ、５０９ｂ）に対して、前記ロフトを調整可能なヘッド（２０２、３０２）を地面に水平に維持する前記交換可能なヘッド（２００、３００、４００）とを備え、
前記交換可能なヘッドは、
ａ）１番ウッドとしてのドライバ（２１０）、フェアウェイウッド（２２０）、およびハイブリッドを含むウッドヘッド（２００）と、
ｂ）１番〜９番アイアン（３１０、３２０）、ならびにピッチング、ギャップ、サンド、およびロブウェッジを含むウェッジ（３３０）を含むアイアンヘッド（３００）と、
ｃ）パターヘッド（４００）とからなる固定ロフトタイプ、調整可能なロフトタイプ、およびこれらの組み合わせの少なくとも１つであり、
前記ロフトの調整は、
ａ）ヘッド本体に連結された第１の頂点ピボット（５１１ａ、５１１ｂ）と、
ｂ）ロフト軸セクション（５３７ａ、５３７ｂ）に適合しかつ連結された第２の連結頂点（５１２ａ、５１２ｂ）と、
ｃ）前記第１の頂点ピボット（５１１ａ、５１１ｂ）から延在する第１のコネクティングロッド（５１４ａ、５１４ｂ）、および第２の連結頂点（５１２ａ、５１２ｂ）から延在する第２のコネクティングロッド（５１５ａ、５１５ｂ）の交点に対応する第３の頂点ピボット（５１３ａ、５１３ｂ）と、
ｄ）ロフト軸セクション（５３７ａ、５３７ｂ）に連結された第２のコネクティングロッド（５１５ａ、５１５ｂ）とを備える調整可能なロフト機構（５００ａ、５００ｂ）によって行われ、
前記コネクティングロッドのうちの少なくとも１つにおける長さは、クラブヘッドフェース（５０６ａ、５０６ｂ）およびロフト軸セクション（５３７ａ、５３７ｂ）の間の相対角度を変更することによって修正され、それにより、ロフト角（５０９ａ、５０９ｂ）を変更することを特徴とするコンパクトで構成変更可能なゴルフクラブセット。
【請求項２】
伸縮式ハンドル（１１０）およびヘッド交換機構（１７０）によって可能にされた、複数の個別の長さ方向位置（１６５）において構成変更可能な少なくとも長さを調整可能なシャフト（１００）は、シャフト（１６０）と、伸縮式ハンドル（１１０）とを備え、
ａ）前記シャフト（１６０）は、
ａ．１）前記ヘッドのコネクタ端部に配置されたヘッド交換機構（１７０）を含むヘッド交換セクション（１６１）と、
ａ．２）調整面（１６８）を規定する一定断面によって規定され、かつ端部に、シャフトバット端部（１６７）が取り付けられるシャフトバットセクション（１６６）を含む長さ調整可能セクション（１６３）と、
ａ．３）ヘッド交換セクション（１６１）を長さ調整可能セクション（１６３）に連結する移行セクション（１６２）とを備え、
ｂ）前記伸縮式ハンドル（１１０）は、
ｂ．１）中空の円形断面のチューブを含むハンドルコア（１２２）であって、その内径が、シャフト（１６６）の前記シャフトバットセクションに取り付けられたシャフトバット端部（１６７）の外径に適合する前記ハンドルコア（１２２）と、
ｂ．２）前記ハンドルコア（１２２）の一方の端部に取り付けられたロックおよびロック解除可能な伸縮式機構（１３０）であって、前記長さ調整可能セクション（１６３）の表面における複数の個別の長さ方向位置（１６５）の１つに堅固に進入する少なくとも１つのロック要素（１３８）によりロックを行なう前記ロックおよびロック解除可能な伸縮式機構と、
ｂ．３）ハンドルコア（１２２）に取り付けられた、ゴム、革、またはコルクのグリップ（１２１）であって、プレイヤーが前記伸縮式ハンドル（１１０）、および前記長さを調整可能なシャフト（１００）を保持するためのグリップとを備え、
調整可能なロフト機構（５００ａ、５００ｂ）を備える少なくとも１つの交換可能なヘッド（２００、３００、４００）は、
ａ’）競技中に調整可能なロフト機構（５００、５００ａ、５００ｂ）を背面で支持するクラブヘッドフェース（５０６、５０６ａ、５０６ｂ）と、
ｂ’）ホーゼルロフト軸（５３２ａ、５３２ｂ）であって、
ｂ’．１）長さを調整可能なシャフト（１００）に連結されるホーゼルセクション（５３３ａ、５３３ｂ）であり、雌型ホーゼル突起（５３４ａ、５３４ｂ）および雄型ホーゼル突起（５３５ａ、５３５ｂ）のいずれか一方であり、雄型ホーゼル突起（５３５ａ、５３５ｂ）の場合にヘッド交換機構（１７０）に適合する前記ホーゼルセクション（５３３ａ、５３３ｂ）と、
ｂ’．２）調整可能なロフト機構（５００ａ、５００ｂ）を保持するロフト軸セクション（５３７ａ、５３７ｂ）と、
ｂ’．３）ヒール側部（５０８ａ）においてロフト軸セクション（５３７ａ）をホーゼルセクション（５３３ａ）に連結するオフセットセクション（５３６ａ）とを備える前記ホーゼルロフト軸（５３２ａ、５３２ｂ）と、
ｃ’）少なくとも３つのセクションによって規定されたスキャンセクション（５５０）を備える修正されたソール幾何学的形状部（５４５）であって、各セクションは、ヘッドの体積部を横断するソールに沿ったライン（５５２）を含み、各ラインは、前記ヘッドがボールの前方で地面（５４９）に水平（５５１）に配置されるときに、前記調整可能なヘッドに対応する範囲のヘッドのロフト角に対応する１つの中間ロフト角（５４７）および２つのロフト角端部（５４８）を含む少なくとも３つの調整されたロフト角でクラブヘッドフェース（５０６）に接触する位置に規定される前記修正されたソール幾何学的形状部とを備えることを特徴とする請求項１に記載のコンパクトで構成変更可能なゴルフクラブセット。
【請求項３】
前記調整可能なロフト機構（５００ａ、５００ｂ）において、
前記コネクティングロッドのうちの１つにおける長さは、前記コネクティングロッドのうちの１つにおける軸線に向きが適合するねじ（５１６ａ、５１６ｂ）によって修正され、
ねじ（５１６ａ、５１６ｂ）の一方の端部が、軸線方向に沿って移動せずにその軸線の周りを回転し、ピボット頂点の１つに適合する軸受（５２４ａ、５２４ｂ）によって保持され、
ねじ（５１６ａ、５１６ｂ）の他方の端部が、その軸線の周りを回転し、かつ対向するピボット頂点に適合する軸受ナット（５２６ａ、５２６ｂ）において軸線方向に沿って移動することを特徴とする請求項１に記載のコンパクトで構成変更可能なゴルフクラブセット。
【請求項４】
調整可能なロフト機構（５００ａ、５００ｂ）が、
フェースの背面（５０２ａ）、フェース枠（５０３ｂ）、ソール（５０４ａ、５０４ｂ）、外殻（５０５ｂ）の少なくとも１つを備える裏側ヘッド領域であって、外殻は、ロフトを調整可能なウッドヘッド（２０２）を収容する前記裏側ヘッド領域を備え、
ねじ（５１６ａ、５１６ｂ）の一方の端部が、軸受シリンダ（５２４ａ、５２４ｂ）の表面に穿孔された半径方向ボア（５２５ａ、５２５ｂ）において回転する滑らかなシリンダ状セクション（５１７ａ、５１７ｂ）を備え、
ねじ（５１６ａ、５１６ｂ）の他方の端部が、軸受ナットシリンダ（５２６ａ、５２６ｂ）の雌ねじ半径方向ボア（５２７ａ、５２７ｂ）にねじ込まれるねじセクション（５１８ａ、５１８ｂ）を備え、
軸受シリンダ（５２４ａ、５２４ｂ）はピボット頂点であり、その軸線は、ねじ（５１６ａ、５１６ｂ）の軸線に対して垂直、かつ調整可能なロフト機構（５００ａ、５００ｂ）を含む平面を規定する垂線に対して平行であり、ねじ（５１６ａ、５１６ｂ）が軸線方向に沿って移動することを防止し、
軸受ナットシリンダ（５２６ａ、５２６ｂ）は、別の連続的なピボット頂点であり、その軸線は、ねじ（５１６ａ、５１６ｂ）の軸線に対して垂直、かつ調整可能なロフト機構（５００ａ、５００ｂ）を含む平面を規定する垂線に対して平行であり、
調整可能なロフト機構（５００ａ、５００ｂ）を含む平面を規定する垂線は、ロフト軸セクション（５３７ａ、５３７ｂ）に対して平行であり、
結合されたコネクティングロッド（５４０ａ、５４０ｂ）は、第２のコネクティングロッド（５１５ａ、５１５ｂ）に適合する固定長リンクであることを特徴とする請求項３に記載のコンパクトで構成変更可能なゴルフクラブセット。
【請求項５】
調整可能なロフト機構（５００ａ、５００ｂ）において、
第１の構成では、軸受ナットシリンダ（５２６ａ）が第１の頂点ピボット（５１１ａ）に対応し、かつ前記裏側ヘッド領域に連結され、軸受シリンダ（５２４ａ）が第３の頂点ピボット（５１３ａ）に対応し、かつ、結合されたコネクティングロッド（５４０ａ）に連結され、前記コネクティングロッドの反対側の端部によって、第２の連結頂点（５１２ａ）においてロフト軸セクション（５３７ａ）に取り付けられ、
第２の構成では、軸受シリンダ（５２４ｂ）が第１の頂点ピボット（５１１ｂ）に対応し、かつ前記裏側ヘッド領域に連結され、軸受ナットシリンダ（５２６ｂ）が第３の頂点ピボット（５１３ｂ）に対応し、かつ第２のコネクティングロッド（５１５ｂ）に対応する結合されたコネクティングロッド（５４０ｂ）に連結され、前記コネクティングロッドの対向端部によって、第２の連結頂点（５１２ｂ）においてロフト軸セクション（５３７ｂ）に取り付けられ、
ねじ（５１６ａ、５１６ｂ）は、プレイヤーが指で回転させるための同心連結ダイヤル（５１９ａ、５１９ｂ）を備え、
ロフトを調整可能なウッドヘッド（２０２）に対し、ダイヤル（５１９ｂ）は、ねじ（５１６ｂ）の上部および前記第１の頂点ピボット（５１１ｂ）の上方に配置され、前記ダイヤル（５１９ｂ）は、外殻にある穿孔（５５４ｂ）によって外殻５０５ｂを通して視認可能であることを特徴とする請求項４に記載のコンパクトで構成変更可能なゴルフクラブセット。
【請求項６】
調整可能なロフト機構（５００ａ、５００）において、
ａ）ロフト軸セクション（５３７ａ、５３７ｂ）が３つの同心ピボットブラケットで回転し、同心ピボットブラケットの軸線が、前記ヘッドの水平面に平行であり、かつ前記裏側ヘッド領域に配置され、
ａ．１）第１のピボットブラケットとしてのロフト軸ピボットブラケット（５２９ａ、５２９ｂ）が、ヒール側部（５０８ａ、５０８ｂ）の近傍に配置され、
ａ．２）第２の一対のピボットブラケットとしてのトウ側部（５０７ａ、５０７ｂ）の近傍の第２の頂点ピボットブラケット（５３０ａ、５３０ｂ）が、前記第２の連結頂点（５１２ａ、５１２ｂ）と、ロフト軸セクション（５３７ａ、５３７ｂ）に連結された第２のコネクティングロッド（５１５ａ、５１５ｂ）とを保持して、それらの回転を案内し、
ａ．３）前記一対の第２の頂点ピボットブラケット（５３０ａ、５３０ｂ）、ロフト軸ピボットブラケット（５２９ａ、５２９ｂ）、およびロフト軸セクション（５３７ａ、５３７ｂ）が、ソール（５０４ａ、５０４ｂ）付近の前記ヘッドの底部にあり、
ｂ）追加的な対の第１の頂点ピボットブラケット（５３１ａ、５３１ｂ）が、第１の頂点ピボット（５１１ａ、５１１ｂ）を保持し、かつ前記裏側ヘッド領域に連結され、
ｃ）結合されたコネクティングロッド（５４０ａ、５４０ｂ）では、一対の第３の頂点ピボットブラケット（５４１ａ、５４１ｂ）が、軸受シリンダ（５２４ａ）または軸受ナットシリンダ（５２６ｂ）を含む構成で第３の頂点ピボット（５１３ａ、５１３ｂ）を保持することを特徴とする請求項４に記載のコンパクトで構成変更可能なゴルフクラブセット。
【請求項７】
調整可能なロフト機構（５００ａ、５００ｂ）において、
結合されたコネクティングロッド（５４０ａ、５４０ｂ）が雄型および雌型アセンブリによってロフト軸セクション（５３７ａ、５３７ｂ）に取り付けられ、
ロフト軸セクション（５３７ａ、５３７ｂ）が、結合されたコネクティングロッド（５４０ａ、５４０ｂ）に直角に、雄型形状部（５３８ａ、５３８ｂ）のその軸線方向の端部で第２の連結頂点（５１２ａ、５１２ｂ）に挿入され、相対的回転が、ロフト軸セクション（５３７ａ、５３７ｂ）に平行な偏心ピン（５３９ａ、５３９ｂ）を含むピンによって防止され、ロフト軸セクション（５３７ａ、５３７ｂ）と、結合されたコネクティングロッド（５４０ａ、５４０ｂ）とでガイドピン（５３９ａ、５３９ｂ）の半径方向の周囲を共有し、前記ガイドピン（５３９ａ、５３９ｂ）は、第２の頂点ピボットブラケット（５３０ａ、５３０ｂ）の間の結合されたコネクティングロッド（５４０ａ、５４０ｂ）の幅に閉じ込められ、
ロフト軸セクション（５３７ａ、５３７ｂ）は、止め輪（５４４ａ、５４４ｂ）によってヘッドの軸線方向の移動を防止し、止め輪はロフト軸セクション（５３７ａ、５３７ｂ）に取り付けられ、かつロフト軸ピボットブラケット（５２９ａ、５２９ｂ）の内面に支持され、ロフト軸セクション（５３７ａ、５３７ｂ）は、トウ側部（５０７ａ、５０７ｂ）に最も近い第２の頂点ピボットブラケット（５３０ａ、５３０ｂ）に当接することを特徴とする請求項６に記載のコンパクトで構成変更可能なゴルフクラブセット。
【請求項８】
調整可能なロフト機構（５００ｂ）が、ヒール側部（５０８ｂ）にあるフェース枠（５０３ｂ）の外表面において、ロフトを調整可能なウッドヘッド（２０２）に関して、ホーゼルセクション（５３３）を部分的に収容するヒール凹面（５５３ｂ）を含み、ヘッドのロフト角の範囲を前記調整可能なヘッドに対応させることを特徴とする請求項２に記載のコンパクトで構成変更可能なゴルフクラブセット。
【請求項９】
ヘッド交換機構（１７０）が、
互いに対して摺動するピンロック（１７３）、内部交換シリンダ（１７７）および外部交換シリンダ（１８６）を備え、内部交換シリンダ（１７７）はピンロック（１７３）を収容し、内部交換シリンダ（１７７）はヘッド交換セクション（１６１）に連結され、内部交換シリンダ（１７７）および外部交換シリンダ（１８６）は、凹状および凸状の少なくとも一方の幾何学的形状を有し、
ピンロック（１７３）は、標準的なホーゼル（１９９）の中空シリンダ状突起（１９８）に永久的に取り付けられて、固定ロフトのヘッド（２０１、３０１、４０１）に連結され、ピンロック（１７３）は、ホーゼルセクション（５３３ａ、５３３ｂ）の雌型ホーゼル突起（５３４ａ、５３４ｂ）に永久的に取り付けられて、ロフトを調整可能なヘッド（２０２、３０２）に連結され、
ホーゼルセクション（５３３ａ、５３３ｂ）または標準的なホーゼル（１９９）から起立したピンロック雄型突起（１７４）が、耐トルク性幾何学的形状を有し、内部交換シリンダの内表面（１７８）の幾何学的形状がピンロック雄型突起（１７４）の外表面の幾何学的形状に適合し、
内部交換シリンダ（１７７）が、表面の半径方向ボア（１８２）に少なくとも１つのロック要素（１８３）を収容し、
ピンロック雄型突起（１７４）が、その表面に、ロック要素（１８３）を収容する少なくとも１つのピンロック用窪み（１７５）を備え、
連結位置（１７１）において、ロック要素（１８３）が半径方向に摺動して、ピンロック用窪み（１７５）、前記半径方向ボア（１８２）、および外部交換シリンダの内表面（１８７）に閉じ込められ、
非連結位置（１７２）において、プレイヤーが外部交換シリンダ（１８６）を摺動させ、外部交換シリンダの内表面（１８７）にあるデカップリング凹部（１８８）によって、ロック要素（１８３）を半径方向に摺動させて、ロック要素（１８３）をピンロック用窪み（１７５）から解放することを特徴とする請求項２に記載のコンパクトで構成変更可能なゴルフクラブセット。
【請求項１０】
ピンロック雄型突起（１７４）が、内部交換シリンダ（１７７）に挿入されかつホーゼルセクション（５３３ａ、５３３ｂ）または標準的なホーゼル（１９９）内へ向けて拡大する小径端部セクションを有し、前記ピンロック雄型突起（１７４）が、固有の組立の向きを可能にする少なくとも特有の幾何学的形状を備える凹状または凸状の多角形であり、ホーゼルセクション（５３３ａ、５３３ｂ）または標準的なホーゼル（１９９）に挿入されたピンロックホーゼル突起（１７６）が、中空のシリンダ状幾何学的形状を有し、その中空のシリンダ状幾何学的形状のサイズが、典型的な方法によって標準的なシャフトをホーゼルセクション（５３３ａ、５３３ｂ）または標準的なホーゼル（１９９）へ取り付けることを可能にするように設定されることを特徴とする請求項９に記載のコンパクトで構成変更可能なゴルフクラブセット。
【請求項１１】
ピンロック（１７３）が、ホーゼルセクション（５３３ａ、５３３ｂ）または標準的なホーゼル（１９９）に挿入されたピンロックホーゼル突起（１７６）に、標準的なシャフトを取り付ける典型的な取り付け方法と類似または等価の方法によって、ピンロック（１７３）を取り付けることを可能にし、該方法は、コンタクトセメント、硬化エポキシ樹脂、ロッキングスリーブ、圧縮コーン、干渉調整、エキスパンションジョイント、軸線方向締付けねじ、側面締付けねじ、ボルト付きまたはリベット継手を含むことを特徴とする請求項１０に記載のコンパクトで構成変更可能なゴルフクラブセット。
【請求項１２】
ヘッド交換機構（１７０）が六角形ピンロック（１７３）を備え、この六角形ピンロックが、六角形ピンロック雄型突起（１７４）を有し、
少なくとも１つの六角形フェースが、固有の取り付け位置を可能にする特有の幾何学的形状を有し、
ロック要素（１８３）がボールからなり、
１つまたは複数のロッキングボール（１８３）が、内部交換シリンダの内表面（１７８）の六角形セクションに対応する領域において、１つ以上の円錐形の等距離にある半径方向ボア（１８２）に配置され、
ピンロック用窪み（１７５）が凹状半球であり、その直径は、最も幅の広い位置において、ロッキングボール（１８３）の直径以下であり、
ピンロック用窪み（１７５）が、六角形ピンロック（１７３）に配置され、かつヘッド交換機構（１７０）が連結位置にあるときに、前記半径方向ボア（１８２）、ひいてはロッキングボール（１８３）の位置に適合することを特徴とする請求項９に記載のコンパクトで構成変更可能なゴルフクラブセット。
【請求項１３】
内部交換シリンダ（１７７）が外表面（１７９）にカップリングスプリング（１８４）を収容し、そのカップリングスプリングは、伸張時、外部交換シリンダ（１８６）を連結位置（１７１）に押し込み、押圧されたカップリングスプリング（１８４）は、外部交換シリンダ（１８６）を非連結位置（１７２）に押し込み、外部交換シリンダ（１８６）、およびカップリングスプリング（１８４）に対するプレイヤーの動作が、軸線方向に沿った動き、ねじり、またはそれらの組み合わせであることを特徴とする請求項９に記載のコンパクトで構成変更可能なゴルフクラブセット。
【請求項１４】
ヘッド交換機構（１７０）は、内部交換シリンダ（１７７）の底部にデカップリングスプリング（１８５）を備え、デカップリングスプリングは、連結位置（１７１）にあるときには、ピンロック雄型突起（１７４）の先端部に対して押圧されたままであることを特徴とする請求項９に記載のコンパクトで構成変更可能なゴルフクラブセット。
【請求項１５】
ピンロック（１７３）が、ヘッド交換機構（１７０）に適合する雄型ホーゼル突起（５３５ａ、５３５ｂ）によって置き換えられ、ホーゼルロフト軸（５３２ａ、５３２ｂ）の製造中に形成され、およびホーゼルセクション（５３３ａ、５３３ｂ）または標準的なホーゼル（１９９）から起立した前記ピンロック（１７３）のピンロック雄型突起（１７４）と等価であることを特徴とする請求項９に記載のコンパクトで構成変更可能なゴルフクラブセット。
【請求項１６】
ヘッド交換機構（１７０）が、ガイドスロット（１８０）を移動するガイドピン（１８１）を備え、外部交換シリンダ（１８６）の移動を制限し、前記ガイドピン（１８１）は、外部交換シリンダ（１８６）に連結され、かつ外部交換シリンダ（１８６）を貫通し、ガイドピン（１８１）の幅の前記ガイドスロット（１８０）は、軸線に平行でかつ内部交換シリンダ（１７７）の外表面上の縦方向凹部であることを特徴とする請求項９に記載のコンパクトで構成変更可能なゴルフクラブセット。
【請求項１７】
伸縮式機構（１３０）が、
互いに摺動する内部伸縮式シリンダ（１３６）および外部伸縮式シリンダ（１３３）を備え、内部伸縮式シリンダ（１３６）が、長さ調整可能セクション（１６３）にわたって摺動し、かつハンドルコア（１２２）、およびハンドル（１２０）に連結され、内部伸縮式シリンダ（１３６）の表面にある１つ以上のロック用半径方向ボア（１３７）が、少なくとも１つのロック要素（１３８）を収容し、内部伸縮式シリンダ（１３６）および外部伸縮式シリンダ（１３３）が、凹状および凸状の少なくとも一方の幾何学的形状を有し、
個別の長さ方向位置（１６５）が、調整面（１６８）にある少なくとも１つのシャフト窪み（１６５）によって形成され、前記窪みがロック要素（１３８）を収容し、前記調整面が、耐トルク性幾何学的形状を有し、
ロック位置（１３１）では、１つまたは複数のロック要素（１３８）が、シャフト窪み（１６５）、前記ロック用半径方向ボア（１３７）、および外部伸縮式シリンダの内表面（１３４）に閉じ込められるまで、半径方向に摺動し、
ロック解除位置（１３２）では、プレイヤーは外部伸縮式シリンダ（１３３）を摺動させ、外部伸縮式シリンダの内表面（１３４）にあるロック解除凹部（１３５）によって、１つまたは複数のロック要素（１３８）が半径方向に摺動できるようにし、ロック要素（１３８）をシャフト窪み（１６５）から解放させることを特徴とする請求項２に記載のコンパクトで構成変更可能なゴルフクラブセット。
【請求項１８】
内部伸縮式シリンダ（１３６）は、その外表面にロックスプリング（１４２）を収容し、そのロックスプリングは、伸張時、外部伸縮式シリンダ（１３３）をロック位置（１３１）に押し込み、押圧時、ロックスプリング（１４２）は外部伸縮式シリンダ（１３３）をロック解除位置（１３２）に押し込み、外部伸縮式シリンダ（１３３）およびロックスプリング（１４２）に対するプレイヤーの動作は、軸線方向に沿った動き、ねじり、またはそれらの組み合わせであることを特徴とする請求項１７に記載のコンパクトで構成変更可能なゴルフクラブセット。
【請求項１９】
内部伸縮式シリンダ（１３６）が、外部伸縮式シリンダ（１３３）用の移動ストッパ（１４３）を備え、前記ストッパは、内部伸縮式シリンダ（１３６）の前記外表面の開始部にある小さなタブからなり、外部伸縮式シリンダの前記内表面（１３４）のロック解除凹部（１３５）に収まって、移動限界を設定することを特徴とする請求項１７に記載のコンパクトで構成変更可能なゴルフクラブセット。
【請求項２０】
シャフトバットセクション（１６６）がシャフトバット端部（１６７）を有し、該シャフトバット端部は、伸縮式ハンドル（１１０）を案内して、その最大長を制限することを特徴とする請求項２に記載のコンパクトで構成変更可能なゴルフクラブセット。
【請求項２１】
選択可能な固定ロフト（２０１、３０１、４０１）を有する交換可能なヘッド（２００、３００、４００）に基づいた請求項１に記載のコンパクトで構成変更可能なゴルフクラブセットにあるクラブの組立方法であって、該組立方法は、ショットを打つ前にプレイヤーによって、
ヘッド交換機構（１７０）によって前記固定ロフトのヘッド（２０１、３０１、４０１）を、前記長さを調整可能なシャフト（１００）に連結するステップと、
伸縮式ハンドル（１１０）の伸縮式機構（１３０）によって、長さを調整可能なシャフト（１００）を伸ばしたりまたは短くしたりするステップと、
クラブの構成、およびボールの前方の打撃位置において、取り付けられたヘッドの水平の位置を確認するステップと
を行うことを特徴とする方法。
【請求項２２】
請求項７に記載のコンパクトで構成変更可能なゴルフクラブセットの組立方法であって、該組立方法は、ショットを打つ前にプレイヤーによって、
ヘッド交換機構（１７０）により、前記ロフトを調整可能なヘッド（２０２、３０２）を、前記長さを調整可能なシャフト（１００）に連結するステップと、
前記ロフトを調整可能なヘッド（２０２、３０２）のロフト角（５０９ａ、５０９ｂ）を調整するステップと、
伸縮式ハンドル（１１０）の伸縮式機構（１３０）によって長さを調整可能なシャフト（１００）を伸ばしたりまたは短くしたりするステップと、
クラブの構成、およびボールの前方の打撃位置において、ソール（５０４）を地面に配置することによって、取り付けられたヘッドの水平の位置を確認するステップとを行い、
ロフト角（５０９ａ、５０９ｂ）を調整する前記ステップは、プレイヤーが、調整可能なロフト機構（５００ａ、５００ｂ）にあるダイヤル（５１９ａ、５１９ｂ）を回すステップを含むことを特徴とする方法。
【発明の詳細な説明】
【技術分野】
【０００１】
応用分野は、コンパクトで構成変更可能なゴルフクラブのセットである。本発明のクラブセットは、クラブの基本的な特性を調整できるようにし、プレイヤーが、シャフトの長さを変更すること、前記シャフトに連結されたヘッドを交換すること、およびヘッドのロフト角を修正することの少なくとも１つによって、自身のストロークに応じてクラブを調整できるようにする。任意の標準的なクラブセットのように、本発明のコンパクトなセットは、包括的にシャフト、ウッド、アイアンおよびパターを含む。
【背景技術】
【０００２】
典型的なゴルフクラブでは、ヘッドおよびシャフトは固定されている。そのため、競技中に必要とされる多種多様のショットは、様々なシャフトおよびヘッドを必要とする。ゴルフクラブでは、ヘッドの特性は、ボールが当たる角度であるロフト角により決まり、ロフト角は、短く正確な距離のためには鋭角、より長い距離には直角である。ヘッドと同様に、シャフトの長さおよび柔軟性はショットの距離によって変動し、短い距離用には短くて硬いシャフト、より長い距離用には、より長くより柔軟性の高いシャフトである。
【０００３】
ウッドおよびハイブリッドは、ティーオフ（プレイヤーが第１打を打つ指定場所）ストロークまたはフェアウェイ（ティーからグリーンに載せるまで延在するゾーン）ストローク用に設計されている。ロフト角は、通常、８°から２８°まで幅がある。プレイヤーのスタイルに応じて、バッグに、約５個のこのタイプのヘッドのセットを集めることができる。ウッドは、ロフト角が８°〜１３°の１番ウッドすなわちドライバ、ロフト角が１２°〜１５°の２番ウッドから、ロフト角が２５°〜２８°の７番ウッドまで分類される。ウッドは、１５番ウッドまで存在するが、それらを使用するプレイヤーはほとんどいない。２番ウッドから上は、フェアウェイウッドとしても公知である。ハイブリッドは、より薄型または低いヘッド高さを有するウッド風であり、角度は５番または７番ウッドと同様である。一部のハイブリッドは、より鋭角であり、例えば、約２８°の５番アイアンと等しい。１番ウッドクラブの長さは、平均的な成人身長に基づいて、４３〜４５インチ（１０９〜１１４ｃｍ）の範囲にある。長さは、クラブ番手が約４１インチ（１０４ｃｍ）の長さの７番ウッドまで上がるにつれ、漸進的に０．５〜１インチ（１．２７〜２．５４ｃｍ）ずつ減少する。
【０００４】
アイアンおよびウェッジ（ロフト角が非常に鋭角なアイアン）は、中距離およびアプローチショットに用いられる。これらのほとんどでは、ロフト角は、プレイヤーの好みに応じて１５°から６２°まで幅があり、バッグに約９本までのクラブを選択して準備する。アイアンは１番から９番まである。１番は、１５°〜１８°のロフト角に等しく、４５°〜４８°のロフト角に等しい９番まで次第に大きくなる。ウェッジは、ピッチングウェッジ（４７°〜５３°）、ギャップウェッジ（５０°〜５４°）、サンドウェッジ（５４°〜５８°）およびロブウェッジ（５８°〜６２°）を含む。１番アイアンクラブの長さは、平均的な成人身長に基づいて、約４０インチ（１０２ｃｍ）である。長さは、約３６インチ（９１ｃｍ）の９番アイアンまでクラブ番手が大きくなるにつれ、漸進的に０．５インチ（１．２７ｃｍ）ずつ減少する。ウェッジシャフトの長さは約３５インチ（８９ｃｍ）である。
【０００５】
パターは、ホールにボールを入れるためのグリーンでのストロークパットに使用される。ロフト角が２°〜５°の様々なヘッドがある。プレイヤーは、自身の競技に最適なパターを選択して、バッグにこのタイプのクラブを１本入れる。長さは大きく異なるが、ほとんどの従来の最もよく使用されるパターの長さは約３５インチ（８９ｃｍ）である。
【０００６】
ゴルフのルールでは、最大１４本のクラブをバッグに入れることができる。
プレイヤーによって検討されるべき他の関連基準は、シャフト柔軟性、およびクラブにおける慣性モーメントの概念に等しいダイナミックウェイトまたはスイングウェイトを含む。慣性モーメントは、シャフトの長さおよびヘッド重量によって決定される。
【０００７】
これらの要素の全てが、理想的なクラブのセットを選択する際に、プレイヤーによって検討されるべき特性の範囲を定め、この概念はプレイヤーによって異なる。
本発明の新規性は、標準的なクラブセット一式の性能に匹敵するコンパクトで構成変更可能な形式を特徴とするゴルフ用具における関連の機能の組み合わせにある。
【０００８】
従来技術の構成変更可能なまたは調整可能なクラブの試みは、問題に包括的に取り組んでおらず、かつそれらの技術的な要素は、従来のまたは標準的なクラブセットによって行われている競技の側面を考慮していない。
【０００９】
本発明の範囲に全体的にまたは部分的に取り組んでいる特許および特許出願の文献は、広範囲に及ぶ。本発明者らの従来技術の検討は、問題に包括的に取り組む試みをした特許、および本発明に最もよく似た機構に焦点をあわせる。
【００１０】
本明細書で引用する先行特許に内在する問題は、提案の設計が、以下の条件の１つ以上を達成できなかったことである。
ａ）シャフトの長さ調整ができず、それゆえ、シャフト数を削減できない、または様々なショット距離に合わせたシャフトの長さに調整しない（特許文献１）。
ｂ）ほとんどのショットに好適なヘッドの範囲を提供しない。上述の通り、現代のゴルフは、一連のヘッドタイプ：ウッド、ハイブリッド、アイアン、ウェッジおよびパターを必要とする（特許文献１）、（特許文献２）。
ｃ）ヘッドのロフト角調整機構を提供しない。これにより、多数のヘッドを使用せざるを得なくなり、標準的なセットに勝るこのタイプのセットの利点を低減させる（特許文献３）、（特許文献１）。
ｄ）様々な調整されたロフト角に対して、地面にヘッドを適切に水平に置くのに必要なソール調整に取り組んでいない、ヘッドのロフト角調整機構（特許文献４）、（特許文献２）。
ｅ）利点が従来のセットに優る限定範囲の調整機構はわずかである。これらは、標準的なクラブセットの条件と同様の、多数の構成要素または部品を必要とする調整可能なセットを含む、（特許文献３）。または逆に、構成要素数を減少させるが、標準的なクラブセットにおける競技の全範囲を網羅しない調整機構（特許文献４）、（特許文献１）、（特許文献２）。
ｆ）重大な破損および調整ミスの少なくとも一方の可能性のある連結機構または調整機構、および基本設計に高応力領域を含む機構。ウッド、ハイブリッド、アイアンまたはウェッジの全機構は、シャフトであるかまたはヘッドであるかに関わらず、ショットを打つときに高動的応力を受ける。特に、コンパクトなまたは少数のセットでは、全ショットが少数のクラブのヘッドで打たれることを考慮すると、高応力領域における材料疲労は、間違いなくストロークが繰り返されることで増加する。そのため、クラブおよびヘッドおよび関連の機構で、ラウンド毎に標準的なセットのクラブよりも多くのショットが打たれる。不適切な調整は、動的負荷、および連結または調整機構を故障させる可能性を増大させる（特許文献３）、（特許文献４）、（特許文献１）、（特許文献２）。
ｇ）ショット前に容易にまたは迅速に対応できない構成機構。例は、ねじ式のシャフト−ヘッドコネクタを含む（特許文献５）。
【００１１】
必ずしもプレイヤーの望む位置または角度に設定されるわけではない、個別の位置にロフト角を設定するための歯付き部品。さらに、多くのそのようなスキームは、解放スキーム、位置設定スキーム、およびロッキングスキームを必要とする、過度の操作を必要とする（特許文献４）、（特許文献２）。
【００１２】
基本設計概念で密連結できないようにしている連結機構、それを考慮する重要な問題は、そのような連結は、ショットを打つ前にコース上でプレイヤーによって行われるということである。容易に調整できず、および部品が緩んだ状態でプレイする感覚を与える連結機構という結果となる（特許文献３）、（特許文献４）、（特許文献１）、（特許文献２）。
【００１３】
本発明の機構の基本設計概念は、迅速に行い、かつ堅固で基本的な三角法の部品の圧縮に基づいて部品間の公差を提供することができる調整および連結の少なくとも一方を含む。全機構が、美しさと重量のバランスをとろうとしており、および材料疲労による早期破損または劣化の影響を部品が受ける高応力領域を回避している。
【００１４】
適切な調整は、正しいヘッドおよびロフト角、および選択したヘッドに調和するシャフトの長さの選択からなる。そのような調整は、ショットを打つ前に、割り当てられた時間枠内でいずれのプレイヤーによっても簡単に行うことができる必要がある。その結果、標準的なクラブと同等に堅固に組み立てられたクラブとなる必要がある。
【先行技術文献】
【特許文献】
【００１５】
【特許文献１】米国特許第４２５３６６６号明細書
【特許文献２】米国特許第２０９１７９４号明細書
【特許文献３】米国特許第６５４７６７３号明細書
【特許文献４】米国特許第５０８３７７９号明細書
【特許文献５】米国特許第７２０７８９７号明細書
【発明の概要】
【発明が解決しようとする課題】
【００１６】
典型的なゴルフクラブでは、ヘッドおよびシャフトは固定されている。そのため、競技の最中に使用される広範囲のショットは、多種多様のシャフトおよびヘッドを必要とする。これにより、プレイヤーは、かなりの重量および体積のクラブセットを持ち運ばざるを得ない。
【００１７】
１８ホールのコースでは競技が数時間および１０ｋｍ超の距離にわたって行われるため、全装備のゴルフクラブを持ち運ぶには、かなりの労力が必要である。
これはまた、車両でバッグを運搬する際にも問題である。クラブハウスが手伝いをするが、これは、依然として、２つ以上のゴルフコースでプレイするときに、特に２人以上の家族の一員がこのスポーツをする場合に課題である。問題の別の側面は、出張の多いプレイヤーである。そのようなプレイヤーには、自身の用具を運ぶか、またはレンタル品を使用するかのオプションしかない。第１のオプションは、特に飛行機を使用するときには不便であり、第２のオプションは、用具がプレイヤーに合わないか、または使用により劣化している可能性があるため、あまり楽しくない経験となることが多い。
【００１８】
典型的な固定ヘッドおよびシャフトを使用することから生じる追加的な問題点は、利用可能な用具が、標準的な長さおよびロフト角に入ることが多いことである。競技の目的は、可能な限り最少のストロークでラウンドを回ることであるため、用具が、特に、クラブがプレイヤーのストロークにどの程度上手く適合し得るかが重要である。しかしながら、プレイヤーの胴体、腕の長さなどは異なる。特に困難なのは、成長期の子供の場合である。かなりの数の子供がこのスポーツをするが、体格に合わないクラブでプレイしなくてはならないか、または成長するにつれて交換または修正する必要がある。
【００１９】
上述したように、構成変更可能なまたは調整可能なクラブに関する従来技術の試みは、問題に包括的に取り組んでおらず、およびそれらの技術的な要素は、従来のまたは標準的なクラブセットによって行われている競技の側面を考慮していない。様々な調整要素を部分的に解決する取り組みでは、背景技術で述べた技術的な欠陥が明らかとなり、ほとんどのプレイヤーが依然として、固定された構成の標準的なクラブセットを好むという結果になっている。
【００２０】
適切な調整は、選択したヘッドに適合する適切なヘッドおよびロフト角、およびシャフトの長さを選択することからなる。そのような調整は、ショットを打つ前に、割り当てられた時間枠内で、子供、成人または高齢者にかかわらず、どのプレイヤーによっても容易に行うことができる必要がある。最後に、必要なクラブは、早期破損または摩耗の影響を受けない堅固な調整機構を必要とする。これは、競技での全ショットを、１本または２本のクラブを使用して打つことを考慮すると、特に重要である。
【課題を解決するための手段】
【００２１】
本発明の新規性は、標準的なクラブセット一式の性能に匹敵する、コンパクトで構成変更可能な形式を特徴とするゴルフ用具における関連の機能の組み合わせにある。
第１の機能は、従来のクラブセットのように、本発明のコンパクトで構成変更可能なセットは、１番〜９番ウェッジおよびパターを全体的にまたは部分的に包含して、ウッドドライバ、フェアウェイウッド、ハイブリッドおよびアイアンを含むことができることである。
【００２２】
第２の機能は、これらのヘッドタイプの各々が、全範囲のロフト角が適切に網羅されるように、機構によってロフト角を変更できることである。これは、従来のヘッドのロフト角範囲を越えて広がること、またはより的を絞り込んだロフト角範囲によってヘッドを規定することを防げることはしない。後者は、コンパクトなセットで多数のヘッドを必要とするが、ヘッドの挙動が従来のヘッドの挙動に、例えば重量、ひいては慣性モーメントまたはスイングウェイトの挙動によりよく似るため、利点がある。調整可能なロフトは、ヘッドの裏側領域に取り付けられかつ修正されたホーゼルに連結された機構によって、作動する。三角形状を有し、その辺の１つを、ねじによって手動で調整できる。
【００２３】
第２の機能は、好ましくは１本または少数のシャフトで、交換できる少数のヘッドで競技をプレイできることを意味する。
上記は、本発明に第３の機能をもたらす。提案は、１本または少数のシャフトを使用して競技を行うことであるため、これらのヘッドおよびシャフトは、プレイヤーが容易におよび快適に使用してストロークの前にクラブを組み立てられる交換機構を含む。単一のシャフトが好ましいが、あるシャフトをウッドに、および別のシャフトをアイアンに使用したいプレイヤーは、コンパクトなセットに、１本ではなく２本のシャフトを含むことを制限されない。そのような場合、両シャフトともヘッド交換機構を含む。ヘッド交換機構は、ホーゼルに取り付けられたガイドピンからなり、ホーゼルは、シャフトの一方の端部において一対の同心状シリンダに連結され、かつ前記ガイドピンの凹部に収容することによって機構をロックするボールを含む。機構は、プレイヤーによって、指を使用して最も外側のシリンダを動かすことによって、操作される。
【００２４】
第４の機能は、１本または少数のシャフトを使用して競技を行うことを提案しているため、シャフトの長さは、選択したヘッドおよびロフト角毎に調整可能である必要があることである。シャフトの長さ調整機構は、摺動するハンドルを収容する表面凹部を備えるシャフトからなり、そのハンドルは、同様に、前記ハンドルの一方の端部において一対の同心状シリンダを収容し、かつ、前記シャフトの凹部に収容することによって機構をロックするボールを含む。機構は、プレイヤーが、指を使用して最も外側のシリンダを動かすことによって、操作される。
【００２５】
第５の機能は、ヘッドのロフト角が変化するため、ヘッドが好ましくは、修正されたソールを含んで、このヘッドに規定された範囲のロフト角に対して確実に正しいライ（水平のヘッドが地面にある）にすることである。
【００２６】
第６の機能は、ヘッド交換機構によって、標準的なホーゼルを備える任意の市販のヘッドが使用できることである。これは、プレイヤーが選択した従来の市販のヘッド、例えばパターおよび１番ウッドの少なくとも一方すなわちドライバタイプのヘッドによって、調整可能なコンパクトなセットを使用できるようにする。ホーゼルは、ゴルフクラブのヘッドのソケットまたはネックとなるように構成され、そこにシャフトが挿入される。
【発明の効果】
【００２７】
上述した問題は、本発明において対処されて解決され、かつその利点をなす。これらの問題の主なものは以下の通りである。
体積および重量を著しく削減したにもかかわらず、調整可能なコンパクトなセットは、従来のクラブセットに対して、少なくとも同等に機能する。
【００２８】
プレイヤーの裁量で、コンパクトなセットを市販の固定ヘッドと共に使用できる。これは、プレイヤーが、特にパターに関して特定のモデルにこだわる傾向があるため、特に１番ウッドヘッドおよびパターの場合に有益である。
【００２９】
調整可能なクラブの組立は単純であり、多くても３ステップで組み立てを行なうことができる。組立方法は、ヘッドおよびシャフトを選択してそれらを連結するステップａと、ロフト角を調整し、ロフトを調整可能なヘッドを用いるステップｂと、シャフトの長さを調整するステップｃとを含む。これらの機構は、プレイヤーが指を使用することによって、容易に操作される。
【００３０】
調整を行ったら、コネクタは、ショットを打つ最中にしっかりと連結された状態を維持するように設計され、プレイヤーに、堅固なクラブおよびストロークという感覚を与える。
【００３１】
この新しい用具を用いて、プレイヤーは、競技中に、自身の体格およびプレイスタイルに合わせて用具を調整でき、より正確なショットの可能性を広げる。これは、精度が高いほど、ラウンドを回るのに必要なストローク数が少なくなることを意味し、このことは、ゴルフ競技において重要な目標の１つである。
【００３２】
用具はまた、所与のショットに対し多数の変化を可能にするため、ゴルファーの腕を磨くのを助ける。プレイヤーは、正確さおよび距離の少なくとも一方に関して最良の組み合わせを選択でき、および競技が進んでも用具はプレイヤーと共にある。
【００３３】
調整可能なセットは、子供に対して明らかな利点を提供する。なぜなら、構成変更可能な用具として、子供の身体的成長に適合するためである。
セットは、標準的なクラブセットの体積を１／５へとおよび重量を１／３へとそれぞれ著しく削減し、以下の利点を提供する。
【００３４】
プレイヤーは、１本または２本のクラブでラウンドをプレイでき、かつ長い距離、すなわち１８ホールで平均１０ｋｍにわたって何時間も、重くて嵩張るバッグを持ち運ばなくてもよいため、より楽しい競技を体験できる。
【００３５】
これは、特に、プレイヤー人口のかなりの部分を占める高齢のプレイヤーにとって意味がある。
調整可能なコンパクトなセットは、必要とする空間がかなり少なく、かつ車または飛行機で簡単に運ぶことができ、これは、２人以上の家族の一員がこのスポーツをする場合、特に便利である。遠方の目的地まで標準的なクラブセットを持ち運ぶことは、空間またはコストの問題ゆえに実現不可能であることが多い。唯一のオプションは、頻繁に出入りする各ゴルフコースに標準的なクラブセットを保管しておくこと、またはレンタルまたは貸し出しに頼ることである。これらの例は、調整可能なコンパクトなセットには適用されず、調整可能なコンパクトなセットは、上述のように、空間またはコストの問題がもはや関係なくなるため、プレイヤーがあらゆる場所で常に同じ用具を使用できるようにするという著しい利点を保持する。
【００３６】
本開示は、詳細な説明、および以下簡潔に説明する図面に基づいて読まれるべきである。
【図面の簡単な説明】
【００３７】
【図１】長さを調整可能なシャフト１００、および３タイプの交換可能なヘッド、すなわちパター４００、アイアン３００およびウッド２００を含むコンパクトで構成変更可能なゴルフクラブセットを示す。前記ヘッドの各々は、固定または調整可能なロフトとし得る。
【図２】一対の構成変更可能なクラブを構成する部分の代替的なセットとして支持されたヘッドタイプを備え、前記部分が、長さを調整可能な２つのシャフト１００、すなわちアイアンおよびパターヘッド用により硬いシャフト、およびウッドヘッド用により柔軟性の高いシャフトを含む、コンパクトで構成変更可能なゴルフクラブセットを示す。６個の交換可能なヘッドは、交換可能なパターヘッド４００、ロングアイアン３１０からショートおよびミッドアイアン３２０、３３０までを網羅する３つの交換可能なアイアンヘッド３００、および１番ウッドすなわちドライバ２１０およびフェアウェイウッド２２０を網羅する２つの交換可能なウッドヘッド２００を含む。前記ヘッドの各々は、固定または調整可能なロフトとし得る。
【図３】３つのセクションを有するシャフト１６０を示し、３つのセクションは、（ａ）本発明において、ヘッド交換機構１７０を支持するセクションであるヘッド交換セクション１６１と、（ｂ）ヘッド交換セクション１６１および長さ調整可能セクション１６３の間の円錐状の移行セクション１６２と、（ｃ）前記長さ調整可能セクション１６３、またはシャフト１６０の伸縮式機構１３０が摺動および取り付けの少なくとも一方が行われるシャフトのセクションとを含む。
【図４】長さ調整可能セクション１６３の端部、伸縮式機構１３０を取り付けるためのシャフト窪み１６５の拡大断面図を表すシャフトバットセクション１６６、およびシャフト１６０の端部に収容されたシャフトバット端部１６７の詳細図を示す。
【図５】グリップ１２１によって覆われたハンドルコア１２２を形成するシリンダによって伸縮式機構１３０が取り付けられた伸縮式ハンドル１１０を示す。
【図６】ハンドルコア１２２に取り付けられ、かつ長さ調整可能セクション１６３に連結された伸縮式機構１３０を示す。
【図７】伸縮式機構１３０、および前記機構を形成する部分の分解図を示す。
【図８】ボールロック要素１３８が長さ調整可能セクション１６３のシャフト窪み１６５に挿入されているロック位置１３１に配置された伸縮式機構の断面を示す。
【図９】ボールロック要素１３８が、外部伸縮式シリンダの内表面１３４にあるロック解除凹部１３５によって解放されているロック解除位置１３２に配置された伸縮式機構の断面を示す。
【図１０】シャフト１６０に取り付けられたヘッド交換機構１７０の全体図を示す。ピンロック１７３が前記機構に挿入された状態を示す。
【図１１】ヘッド交換機構１７０、および前記機構を形成する部分の分解図を示す。
【図１２】ピンロック１７３が挿入され、かつロッキングボール１８３がピンロック用窪み１７５に固定されている連結位置１７１に配置されたヘッド交換機構の断面を示す。
【図１３】ピンロック１７３が解放され、かつ外部交換シリンダの内表面１８７にあるデカップリング凹部１８８によってロッキングボール１８３が解放されている非連結位置１７２に配置されたヘッド交換機構の断面を示す。
【図１４】ピンロック１７３が、標準的なホーゼル１９９に挿入されるように位置合わせされている状態における交換可能な固定ロフトのパターヘッド４０１を示す。図面の右側は、ピンロック１７３が挿入され、かつ前記パターヘッドの標準的なホーゼル１９９に取り付けられていることを示す。
【図１５】ピンロック１７３が、標準的なホーゼル１９９に挿入されるように位置合わせされている状態における交換可能な固定ロフトのアイアンヘッド３０１を示す。図面の右側は、ピンロック１７３が挿入され、かつ前記アイアンヘッドの標準的なホーゼル１９９に取り付けられていることを示す。
【図１６】ピンロック１７３が、標準的なホーゼル１９９に挿入されるように位置合わせされている状態における交換可能な固定ロフトウッドヘッド２０１を示す。図面の右側は、ピンロック１７３が挿入され、かつ前記ウッドヘッドの標準的なホーゼル１９９に取り付けられていることを示す。
【図１７】ロフトを調整可能なアイアンヘッド３０２用のソール５０４の底面図を示し、ソール５５２に沿った３本のラインが、前記ヘッドの底部体積セクションを規定し、その結果、修正されたソール幾何学的形状部５４５の表面を生成する。
【図１８】あまり鋭角でないロフト角端部５５０、５４８のＡ−Ａ断面を示す。ロフトを調整可能なアイアンヘッド３０２に関しては、前記ヘッドに規定されたロフト角の範囲において、あまり鋭角でないロフト角端部５４８を備え、およびヘッドを水平５５１に取り付け、ひいては、地面５４９に対してソールに沿ったライン５５２を規定し、このラインは、クラブヘッドフェース５０６の下部頂点に近い修正されたソール幾何学的形状部５４５のスキャン（ｓｃａｎ）セクションを規定する。
【図１９】中間ロフト角５５０、５４７のＡ−Ａ断面を示す。ロフトを調整可能なアイアンヘッド３０２に関しては、前記ヘッドに規定されたロフト角の範囲において中間ロフト角５４７を備え、およびヘッドを水平５５１に取り付け、ひいては、地面５４９に対してソールに沿ったライン５５２を規定し、このラインは、修正されたソール幾何学的形状部５４５の中間スキャンセクションを規定する。
【図２０】より鋭角なロフト角端部５５０、５４８のＡ−Ａ断面を示す。ロフトを調整可能なアイアンヘッド３０２に関しては、前記ヘッドに規定されたロフト角の範囲において、より鋭角なロフト角端部５４８を備え、およびヘッドを水平５５１に取り付け、ひいては、地面５４９に対してソールに沿ったライン５５２を規定し、このラインは、修正されたソール幾何学的形状部５４５のスキャンセクションを規定する。クラブヘッドフェース５０６の下部頂点に比べてより離れている。
【図２１】調整可能なロフト機構のアイアンヘッドバージョンの側面図５００ａを示す。側面図は、頂点５１１ａ、５１２ａ、５１３ａおよび脚部またはロッド５１４ａ、５１５ａを備える三角形を強調する。前記ロッドのうちの１つのサイズを調整することにより、第１のコネクティングロッド５１４ａは前記三角形を修正でき、そのため、ロフト角５０９ａを修正できる。
【図２２】ロフトを調整可能なアイアンヘッドの正面図３０２を示す。ヒール側部５０８ａに、ヘッド交換機構１７０に適合する雄型ホーゼル突起５３５ａバージョンのホーゼルセクション５３３ａを示す。
【図２３】軸受ナットシリンダ５２６ａおよび軸受シリンダ５２４ａを含む、ねじ５１６ａおよびその支持体または軸受の、調整可能なロフト機構のアイアンヘッドバージョンの分解図を示す。軸受シリンダは、第３の頂点ピボット５１３ａに適合し、かつ結合されたコネクティングロッド５４０ａから延在する一対の第３の頂点ピボットブラケット５４１ａによって支持される。
【図２４】調整可能なロフト機構のアイアンヘッドバージョンの後面図５００ａを示す。結合されたコネクティングロッド５４０ａに取り付けられた３つのピボットブラケット５２９ａ、５３０ａおよびホーゼルロフト軸５３２ａによって支持されたホーゼルロフト軸５３２ａ、およびこれが軸受シリンダ５２４ａによってねじ５１６ａに連結されている方法に留意されたい。ねじ５１６ａは、フェースの背面５０２ａの上部から延在する一対の第１の頂点ピボットブラケット５３１ａによって支持された軸受ナットシリンダ５２６ａにねじ込まれている。
【図２５】調整可能なロフト機構のアイアンヘッドバージョンの全体的な分解図５００ａを示す。ホーゼルセクション５３３ａにおける変形例を備えるホーゼルロフト軸５３２ａの２つの代替例、ヘッド交換機構１７０に適合する、第１の代替例を雌型ホーゼル突起５３４ａとしておよび第２の代替例を雄型ホーゼル突起５３５ａとして示す。ホーゼルロフト軸５３２ａは、オフセットセクション５３６ａによって軸を変位させるセクションを示す。ホーゼルロフト軸５３２ａ、特にロフト軸セクション５３７ａは、フェースの背面５０２ａの底部から延在する３つのピボットブラケット５２９ａ、５３０ａによって支持される。前記ロフト軸セクション５３７ａは、雄型形状部５３８ａによって、結合されたコネクティングロッド５４０ａに取り付けられる。それらは、平行偏心ピン５３９ａによってロックされる。
【図２６】調整可能なロフト機構のウッドヘッドバージョンの側面図５００ｂを示す。側面図は、頂点５１１ｂ、５１２ｂ、５１３ｂおよび脚部またはロッド５１４ｂ、５１５ｂを備える三角形を示す。前記ロッドのうちの１つのサイズを調整することによって、第１のコネクティングロッド５１４ｂは前記三角形を修正できるようにし、そのため、ロフト角５０９ｂを修正できるようにする。
【図２７】ロフトを調整可能なウッドヘッドの正面図２０２を示す。ヒール側部５０８ｂに、ヘッド交換機構１７０に適合する雄型ホーゼル突起５３５ｂバージョンのホーゼルセクション５３３ｂを示す。
【図２８】軸受シリンダ５２４ｂおよび軸受ナットシリンダ５２６ｂを含むねじ５１６ｂおよびその支持体または軸受の、調整可能なロフト機構のウッドヘッドバージョンの分解図を示す。軸受ナットシリンダは第３の頂点ピボット５１３ｂに適合し、かつ結合されたコネクティングロッド５４０ｂから延在する一対の第３の頂点ピボットブラケット５４１ｂによって支持される。
【図２９】調整可能なロフト機構のウッドヘッドバージョンの後面図５００ｂを示す。３つのピボットブラケット５２９ｂ、５３０ｂによって支持されたホーゼルロフト軸５３２ｂ、および前記ホーゼルロフト軸５３２ｂが、結合されたコネクティングロッド５４０ｂに取り付けられていること、および軸受シリンダ５２４ｂによってコネクティングロッドをねじ５１６ｂに連結する方法に留意されたい。ねじ５１６ｂは、一対の第３の頂点ピボットブラケット５４１ｂによって支持された軸受ナットシリンダ５２６ｂにネジで留められる。
【図３０】調整可能なロフト機構のウッドヘッドバージョンの全体的な分解図５００ｂを示す。ホーゼルセクション５３３ｂにおける変形を備えるホーゼルロフト軸５３２ｂの２つの代替物、ヘッド交換機構１７０に適合する、第１の代替物を雌型ホーゼル突起５３４ｂとしておよび第２の代替物を雄型ホーゼル突起５３５ｂとして示す。ホーゼルロフト軸５３２ｂ、特にロフト軸セクション５３７ｂは、ヘッドの底部および背面から延在する３つのピボットブラケット５２９ｂ、５３０ｂによって支持される。前記ロフト軸セクション５３７ｂは、雄型形状部５３８ｂによって、結合されたコネクティングロッド５４０ｂに取り付けられる。それらは、平行偏心ピン５３９ｂによって位置にロックする。
【発明を実施するための形態】
【００３８】
ショットを打つ前にプレイヤーの裁量で構成変更可能なコンパクトなゴルフクラブセットを、図１〜２に示す。好ましい態様では、ゴルフクラブセットは、複数の個別の長さ方向位置１６５において長さを調整可能なシャフト１００を少なくとも含み、長さの調整は図３〜５に示すような伸縮式ハンドル１１０によって可能にされる。前記長さを調整可能なシャフト１００は、少なくとも交換可能なヘッド２００、３００、４００に連結可能なヘッド交換機構１７０を含む。前記交換可能なヘッドは、
ａ）図１４〜１６に詳細を示す交換可能な固定ロフトのヘッド２０１、３０１、４０１と、
ｂ）調整可能なロフト機構５００ａ、５００ｂ、及びソール５０４を備えるロフトを調整可能で交換可能なヘッド２０２、３０２であって、ソールの幾何学的形状部５４５によって、調整された各ロフト角５０９ａ、５０９ｂに対して前記ロフトを調整可能なヘッド２０２、３０２を地面に水平に保つロフトを調整可能で交換可能なヘッド２０２、３０２とからなる選択肢を有する。アイアンに関する好ましい調整可能なロフト機構を図２１〜２５に、ウッドに関する好ましい調整可能なロフト機構を図２６〜３０に示す。
【００３９】
本発明では、交換可能なヘッドは、
ａ）ウッドヘッド２００：１番ウッドすなわちドライバ２１０、２番フェアウェイウッド、以下２２０、およびハイブリッドと、
ｂ）アイアンヘッド３００：１番〜９番アイアン３１０、３２０およびウェッジ３３０：ピッチング、ギャップ、サンドおよびロブウェッジと、
ｃ）パターヘッド４００とからなる固定ロフトタイプ、調整可能なロフトタイプ、およびこれらの組み合わせの少なくとも１つを意味する。
【００４０】
競技中に構成変更可能なコンパクトなゴルフクラブセットは、製造者およびプレイヤーの好みによって決められる多数の組み合わせを可能にする。実施例１〜２は、２つの可能な構成を詳細に示す。
【００４１】
＜実施例１＞
図１の実施例１は、
長さを調整可能なシャフト１００と、
交換可能な固定ロフト４０１のパターヘッド４００と、
５番〜９番アイアンからサンドウェッジのロフト角で構成できる、交換可能な調整可能なロフト３０２のアイアンヘッド３００と、
固定ロフト角２０１とし得る交換可能なウッドヘッド２００、又は、１番〜７番ウッドヘッドの範囲のロフト角を構成できる調整可能なロフト２０２を有する代替的ヘッドとからなるシャフトおよび３つのヘッドを含むコンパクトなセットを示す。
【００４２】
この実施例は、標準的な１４本のクラブセットおよびバッグに関する重量および体積を著しく減少させたいプレイヤーの興味を引く、非常にコンパクトな４部品のセットを示す。
【００４３】
１４本のクラブセット一式に厳密に適合させたいプレイヤーは、自身のコンパクトで構成変更可能なゴルフクラブセットの要素数を増加させればよい。プロのように、プレイヤーは、コースで使用する要素を選択する必要がある。実施例２はこの場合を網羅する。
【００４４】
＜実施例２＞
図２の実施例２は、２本のシャフトと、６つのヘッド、すなわちパターヘッド、ロフトを調整可能な２つのアイアンヘッド、ロフトを調整可能なウェッジヘッド、固定ロフトのウッドドライバ、およびロフトを調整可能なフェアウェイウッドとからなる８部品のセットを示す。詳細には、８部品は、
交換可能なウッドヘッド２００がより長い距離を網羅できるようにする、より柔軟性の高いシャフトと、交換可能なアイアンヘッド３００および交換可能なパターヘッド４００用のより硬いシャフトを含む長さを調整可能な２本のシャフト１００と、
固定ロフトのパターヘッド４０１と、
４番〜６番アイアンのヘッドセット３１０の平均的な重量およびロフト角を網羅するように展開できるロフトを調整可能なアイアンヘッド３０２と、
７番〜９番アイアンのヘッドセット３２０の平均的な重量およびロフト角を網羅するように展開できるロフトを調整可能なアイアンヘッド３０２と、
ピッチングウェッジ〜ロブウェッジのセット３３０の平均的な重量およびロフト角を網羅するように展開できるロフトを調整可能なアイアンヘッド３０２と、
１番ウッドすなわちドライバヘッド２１０に等しい固定ロフトのウッドヘッド２０１と、
３番〜７番フェアウェイウッドのヘッドセット２２０の平均的な重量およびロフト角を網羅するように展開できるロフトを調整可能なウッドヘッド２０２とを含む。
【００４５】
重量は、ヘッドの設計および構造基準の本質的な部分である。ヘッドが重いほど、より大きい慣性モーメント、すなわちスイングウェイトを生成する。簡単には、競技中、本発明において慣性モーメントを変更する１つの方法は、シャフトのヘッドを異なる重量のヘッドに交換することである。別の方法は、シャフトの長さを変更することである。本発明は、ロフトを調整可能なヘッドを、見習うべきロフトを有するヘッドの範囲の平均に近い重量で設計することを提案する。
【００４６】
＜実施例１〜２、詳細な要素の説明＞
以下は、実施例１〜２が基づくコンパクトで構成変更可能なゴルフクラブセットを構成する部分および部品の詳細な説明であり、
（ａ）長さを調整可能なシャフトの説明、
（ｂ）対応するソールの詳細と共に、調整可能なロフト機構を備える交換可能なヘッドの説明、
（ｃ）コンパクトなセットと共に交換可能な固定ロフトのヘッドを使用することを含む、ヘッド交換機構の説明、
（ｄ）伸縮式機構の詳細、および
（ｅ）コンパクトで構成変更可能なゴルフクラブセットの使用の説明に分けて説明する。
【００４７】
＜長さを調整可能なシャフト＞
長さを調整可能なシャフト１００を以下において説明する。前記シャフトの長さは、伸縮式ハンドル１１０によって、複数の個別位置１６５に調整できる。前記シャフトはヘッド交換機構１７０を備える。図３〜５に示すように、長さを調整可能なシャフト１００は、シャフト１６０と、伸縮式ハンドル１１０とからなり、
ａ）シャフト１６０は、
ａ．１）プレイ中にヘッドのコネクタ端部に配置されたヘッド交換機構１７０を含むヘッド交換セクション１６１と、
ａ２）調整面１６８を規定する一定断面によって規定され、かつ端部に、シャフトバット端部１６７が取り付けられるシャフトバットセクション１６６を含む長さ調整可能セクション１６３と、
ａ．３）ヘッド交換セクション１６１を長さ調整可能セクション１６３に連結する移行セクション１６２とを備え、
ｂ）伸縮式ハンドル１１０は、
ｂ．１）内径が、シャフトのシャフトバットセクション１６６に取り付けられたシャフトバット端部１６７の外径に適合するように構成された中空の円形断面のチューブを含むハンドルコア１２２と、
ｂ．２）ハンドルコア１２２の一方の端部に取り付けられた干渉式のロックおよびロック解除が可能な伸縮式機構１３０であって、ロック機能は、長さ調整可能セクション１６３の表面上にある複数の個別の長さ方向位置１６５の１つに堅固に進入する少なくとも１つのロック要素１３８により構成される干渉式のロックおよびロック解除が可能な伸縮式機構１３０と、
ｂ．３）ハンドルコア１２２に取り付けられたゴム、革またはコルクのグリップ１２１であって、それにより、プレイヤーが伸縮式ハンドル１１０、ひいては長さを調整可能なシャフト１００を保持できるグリップとを備える。
【００４８】
＜調整可能なロフト機構＞
以下、調整可能なロフト機構５００ａ、５００ｂを備える交換可能なヘッド２００、３００について説明する。好ましいロフトを調整可能なアイアンヘッド３０２の変形例は、図２１〜２５に示される。好ましいロフトを調整可能なウッドヘッド２０２の変形例は、図２６〜３０に示され、およびロフトを調整可能なヘッドのソールの好ましい変形例は、図１７〜２０に示される。
【００４９】
図１及び２のコンパクトで構成変更可能なゴルフクラブセットは、図２１〜２５および図２６〜３０の調整可能なロフト機構５００ａ、５００ｂを備える交換可能なヘッド２００、３００を必要とし、ヘッド２００、３００は、クラブヘッドフェース５０６、５０６ａ、５０６ｂと、修正されたソール幾何学的形状部（Ｍｏｄｉｆｉｅｄ  Ｓｏｌｅ  Ｇｅｏｍｅｔｒｙ）５４５とを備え、
ａ）クラブヘッドフェース５０６、５０６ａ、５０６ｂは、競技中に調整可能なロフト機構５００、５００ａ、５００ｂを背面で支持し、
ｂ）ホーゼルロフト軸５３２ａ、５３２ｂは、
ｂ．１）長さを調整可能なシャフト１００につながるホーゼルセクション５３３ａ、５３３ｂであって、雌型ホーゼル突起５３４ａ、５３４ｂ、または雄型ホーゼル突起５３５ａ、５３５ｂのいずれかであり、雄型ホーゼル突起５３５ａ、５３５ｂの場合には、ヘッド交換機構１７０に適合する前記ホーゼルセクション５３３ａ、５３３ｂと、
ｂ．２）調整可能なロフト機構５００ａ、５００ｂを保持するロフト軸セクション５３７ａ、５３７ｂと、
ｂ．３）ロフト軸セクション５３７ａ、５３７ｂを、ヒール側部５０８ａ、５０８ｂ（シャフト１６０に最も近いクラブヘッドフェース５０６ａ、５０６ｂの水平端部と定義される用語）のホーゼルセクション５３３ａ、５３３ｂに連結するオフセットセクション５３６ａとを備え、
ｃ）修正されたソール幾何学的形状部５４５は、ヘッドの体積部を横断するソールに沿ったライン５５２をそれぞれ含む少なくとも３つのセクションによって定義されるスキャン（ｓｃａｎ）セクション５５０を備える。各ラインは、ヘッドが、調整可能なヘッドに対応する範囲のヘッドのロフト角に対応する１つの中間ロフト角５４７および２つのロフト角端部５４８を含む少なくとも３つの調整可能なロフト角でクラブヘッドフェース５０６に接触する位置において、ボールの前方で地面５４９に水平５５１に配置されるときに規定される。修正されたソール幾何学的形状部５４５を図１７〜２０において説明する。
【００５０】
標準的なソールを備える調整可能なロフト機構５００のヘッドに関して、ロフト角５４７、５４８が急であるほど、地面５４９によって規定される水平方向５５１に対するずれが大きくなる。
【００５１】
修正されたソール幾何学的形状部５４５（図１７）は、調整可能なロフト機構５００によってヘッドのロフト角が大きくされたときに、地面でヘッドを水平に支持できるようにする。ソール５０４が、クラブヘッドフェース５０６を地面５４９に対して水平方向５５１に平行に保つ一連のロフト角５４７、５４８に対する、一連のソール（図１８〜２０）を線でつなぐと、修正されたソール幾何学的形状部５４５を生じる。前記調整可能なロフト機構５００は連続的なロフト角を可能にするが、ソール５０４の幾何学的形状を補償または調整するために、本発明では少なくとも３つの角度、２つのロフト角端部５４８、すなわち調整可能なロフト機構設計の２つの限界、および中間ロフト角５４７を提案する。スキャンセクションを使ってソールフェースに他の構成を追加して適用することができるので、前記調整可能なロフト機構５００において規定されたあらゆる角度範囲に近づく連続的な面を提供する。本発明では、このソール構成を、修正されたソール幾何学的形状部５４５と称する。
【００５２】
図２１および図２６に示す上述の調整可能なロフト機構５００ａ、５００ｂは３つの頂点を含み、調整可能なロフト機構のヘッドに連結された三角形状の配置を形成する。各頂角および三角形の辺の長さの少なくとも一方を変更することによって、ヘッドのロフト角５０９ａ、５０９ｂを修正する。好ましい配置は、２つの調整可能な頂点またはピボット、およびロフト軸セクション５３７ａ、５３７ｂに連結された頂点として示される。後者は、調整可能な角度をヘッドからシャフトへ伝えるため、ロフト角５０９ａ、５０９ｂの調整を可能にする。この第１の頂点ピボット５１１ａ、５１１ｂは、ヘッド本体に連結されている。第２の頂点５１２ａ、５１２ｂは固定されており、ロフト軸セクション５３７ａ、５３７ｂに適合して、かつ連結される。第３の頂点ピボット５１３ａ、５１３ｂは、第１の頂点ピボット５１１ａ、５１１ｂから延在する第１のコネクティングロッド５１４ａ、５１４ｂと、第２の連結頂点５１２ａ、５１２ｂから延在する第２のコネクティングロッド５１５ａ、５１５ｂとの交点である。そのため、第２のコネクティングロッド５１５ａ、５１５ｂはロフト軸セクション５３７ａ、５３７ｂに連結される。前記ロッドのうちの１つの長さは、クラブヘッドフェース５０６ａ、５０６ｂとロフト軸セクション５３７ａ、５３７ｂとの間の相対角度を変更することによって修正され、それにより、ロフト角５０９ａ、５０９ｂを変更し得る。
【００５３】
好ましい態様では、調整可能なロフト機構５００ａ、５００ｂは、図２３および図２８に示すように、ねじ５１６ａ、５１６ｂによってロッドの長さを修正することを含み、これらねじの向きは、前記ロッドのうちの１つの軸線に合っている。ねじ５１６ａ、５１６ｂの一方の端部は、軸線方向に移動せずにその軸線の周りで回転し、ピボット頂点のうちの１つに適合する軸受５２４ａ、５２４ｂによって保持される。ねじ５１６ａ、５１６ｂの反対側の端部は、その軸線の周りで回転し、かつ対向するピボット頂点に適合する軸受ナット５２６ａ、５２６ｂ内で軸線方向に沿って移動する。
【００５４】
調整可能なロフト機構５００ａ、５００ｂは、裏側ヘッド領域を含む。ロフトを調整可能なアイアンヘッド３０２に関して、裏側ヘッド領域は、フェースの背面５０２ａ、フェース枠、およびソール５０４ａの少なくとも１つを含み得る。好ましい態様では、図２４、２５に示すように、前記アイアンヘッド領域は、フェースの背面５０２ａと、ソール５０４ａの一部とを含む。ロフトを調整可能なウッドヘッド２０２の別の態様では、裏側ヘッド領域は、フェース枠５０３ｂ、ソール５０４ｂ、および外殻５０５ｂの少なくとも１つを含み得る。ボールによる衝撃を受ける間、フェースが弾力性を発揮することが好ましいため、フェースの背面は、本態様では提案しない。好ましい態様では、図２９、３０に示すように、前記ウッドヘッド領域は、フェース枠５０３ｂおよび主にソール５０４ｂの内表面を含む。
【００５５】
ねじ５１６ａ、５１６ｂの一方の端部は、なめらかなシリンダ状セクション５１７ａ、５１７ｂを含み、これらセクションは、軸受シリンダ５２４ａ、５２４ｂの表面に穿孔された半径方向ボア５２５ａ、５２５ｂ内で回転する。ねじ５１６ａ、５１６ｂの他方の端部は、図２３および図２８に示すように、ねじセクション５１８ａ、５１８ｂを含み、軸受ナットシリンダ５２６ａ、５２６ｂに設けられた雌ねじ半径方向ボア５２７ａ、５２７ｂにねじ込まれる。
【００５６】
軸受シリンダ５２４ａ、５２４ｂはピボット頂点であり、その軸線は、ねじ５１６ａ、５１６ｂの軸線に対して垂直、かつ調整可能なロフト機構５００ａ、５００ｂを含む平面を規定する垂線に対して平行であり、ねじ５１６ａ、５１６ｂが軸線方向に沿って移動しないようにする。
【００５７】
好ましい態様では、ねじ５１６ａ、５１６ｂは、なめらかなシリンダ状セクション５１７ａ、５１７ｂの端部にある座金５２２ａ、５２２ｂ、ナット５２３ａ、５２３ｂ、およびねじ山５２１ａ、５２１ｂによって、軸受シリンダ５２４ａ、５２４ｂに取り付けられる。他の取り付けの態様は、リベット、ピン、止め輪などを含み得る。
【００５８】
軸受ナットシリンダ５２６ａ、５２６ｂは、別の連続的なピボット頂点であり、その軸線は、ねじ５１６ａ、５１６ｂの軸線に対して垂直、かつ調整可能なロフト機構５００ａ、５００ｂを含む平面を規定する垂線に対して平行である。同時に、調整可能なロフト機構５００ａ、５００ｂを含む平面を規定する垂線は、ロフト軸セクション５３７ａ、５３７ｂに平行である。
【００５９】
結合されたコネクティングロッド５４０ａ、５４０ｂは、第２のコネクティングロッド５１５ａ、５１５ｂに適合する固定長リンクである。
ロフトを調整可能なアイアンヘッド３０２に関して、好ましい構成では、第１の頂点ピボット５１１ａとして軸受ナットシリンダ５２６ａが設けられ、軸受ナットシリンダ５２６ａは裏側ヘッド領域に連結される。軸受シリンダ５２４ａは第３の頂点ピボット５１３ａに対応し、かつ結合されたコネクティングロッド５４０ａに連結され、かつ、前記コネクティングロッドの反対側の端部によって、第２の連結頂点５１２ａにおいてロフト軸セクション５３７ａに取り付けられる。この場合、図２１、図２４、図２５に示すように、裏側ヘッド領域は、フェースの背面５０２ａに対応する。
【００６０】
ロフトを調整可能なウッドヘッド２０２に関して、好ましい構成は、軸受シリンダ５２４ｂが第１の頂点ピボット５１１ｂに対応し、かつ裏側ヘッド領域に連結されることである。軸受ナットシリンダ５２６ｂは、第３の頂点ピボット５１３ｂに対応し、かつ結合されたコネクティングロッド５４０ｂ（これは第２のコネクティングロッド５１５ｂに対応する）に連結され、および前記コネクティングロッドの反対側の端部によって、第２の連結頂点５１２ｂにおいてロフト軸セクション５３７ｂに取り付けられる。この場合、図２６、図２９、図３０に示すように、裏側ヘッド領域はヘッドソール５０４ｂに対応する。
【００６１】
両構成に関して、図２３および図２８に示すように、ねじ５１６ａ、５１６ｂは、プレイヤーが指で回転させることができる同心連結ダイヤル５１９ａ、５１９ｂを含む。
ロフトを調整可能なウッドヘッド２０２の場合、ダイヤル５１９ｂは、ねじ５１６ｂの頂点部および第１の頂点ピボット５１１ｂの上方にある。図２６および図３０に示すように、前記ダイヤル５１９ｂは、好ましくは、外殻にある穿孔５５４ｂによって外殻５０５ｂを通して見える。
【００６２】
図２４、図２５、図２９、図３０に示すような上述の好ましい態様のいずれのヘッドのタイプに関しても、調整可能なロフト機構５００ａ、５００ｂは、ロフト軸セクション５３７ａ、５３７ｂにおいて３つの同心ピボットブラケットで回転し、その軸線は、ヘッドの水平線に平行であり、裏側ヘッド領域にある。３つの同心ピボットブラケットは、
ａ）第１のピボットブラケット、すなわち、ヒール側部５０８ａ、５０８ｂ付近のロフト軸ピボットブラケット５２９ａ、５２９ｂと、
ｂ）一対の第２のピボットブラケット、すなわち、第２の連結頂点５１２ａ、５１２ｂと、第２のコネクティングロッドの回転を案内するロフト軸セクション５３７ａ、５３７ｂに連結された第２のコネクティングロッド５１５ａ、５１５ｂとを保持する第２の頂点ピボットブラケット５３０ａ、５３０ｂであって、シャフトから最も遠いクラブヘッドフェース５０６ａ、５０６ｂの水平端部であるトウ側部５０７ａ、５０７ｂの近傍に配置される前記第２の頂点ピボットブラケット５３０ａ、５３０ｂとを備え、
ｃ）一対の第２の頂点ピボットブラケット５３０ａ、５３０ｂおよびロフト軸ピボットブラケット５２９ａ、５２９ｂ、ひいてはロフト軸セクション５３７ａ、５３７ｂが、好ましくはソール５０４ａ、５０４ｂの付近のヘッドの底部にあり、低重心を保つようにする。
【００６３】
追加的な対の第１の頂点ピボットブラケット５３１ａ、５３１ｂが、第１の頂点ピボット５１１ａ、５１１ｂを保持し、かつ裏側ヘッド領域に連結される。
結合されたコネクティングロッド５４０ａ、５４０ｂでは、一対の第３の頂点ピボットブラケット５４１ａ、５４１ｂが、軸受シリンダ５２４ａまたは軸受ナットシリンダ５２６ｂを含む任意の構成に第３の頂点ピボット５１３ａ、５１３ｂを保持する。第１の好ましい構成は、ロフトを調整可能なアイアンヘッド３０２であり、および第２の好ましい構成は、ロフトを調整可能なウッドヘッド２０２である。
【００６４】
図２５および図３０に示すように、さらに好ましい態様では、調整可能なロフト機構５００ａ、５００ｂが、結合されたコネクティングロッド５４０ａ、５４０ｂを含み、結合されたコネクティングロッドは、雄型形状部５３８ａ、５３８ｂにおいてロフト軸セクション５３７ａ、５３７ｂを介して、かつ第２の連結頂点５１２ａ、５１２ｂに適合する端部を通る前記結合されたコネクティングロッド５４０ａ、５４０ｂの軸線に対して直角に、取り付けられる。ロフト軸セクション５３７ａ、５３７ｂに平行な偏心ピン５３９ａ、５３９ｂを含むコッタピンによって相対的回転を防止し、ロフト軸セクション５３７ａ、５３７ｂと、結合されたコネクティングロッド５４０ａ、５４０ｂとで、前記ガイドピン５３９ａ、５３９ｂの半径方向周囲を共有する。前記ガイドピン５３９ａ、５３９ｂは、結合されたコネクティングロッド５４０ａ、５４０ｂの幅および第２の頂点ピボットブラケット５３０ａ、５３０ｂの間に閉じ込められる。最終的な方法は、収益があげられる製造プロセスによって決定されるが、軸線方向の移動はまた、スプリットピンまたは干渉性ロックによって防止され得る。
【００６５】
ロフト軸セクション５３７ａ、５３７ｂは、ロフト軸セクション５３７ａ、５３７ｂに取り付けられかつロフト軸ピボットブラケット５２９ａ、５２９ｂの内面に支持される止め輪５４４ａ、５４４ｂによってヘッドの軸線方向の移動を防止する。ロフト軸セクション５３７ａ、５３７ｂはまた、トウ側部５０７ａ、５０７ｂに最も近い第２の頂点ピボットブラケット５３０ａ、５３０ｂに当接する。
【００６６】
好ましい態様では、調整可能なロフト機構５００ｂは、ヒール側部５０８ｂにあるフェース枠５０３ｂの外表面にあるロフト調整可能なウッドヘッド２０２に、ホーゼルセクション５３３ｂを部分的に収容するヒール凹面５５３ｂを含む。図２９、図３０に示すように、ヒール凹面５５３ｂは、ホーゼルセクション５３３が動けるようにするために必要な遊びを有し、調整可能なヘッドに対応する範囲のヘッドのロフト角を可能にする。
【００６７】
＜ヘッド交換機構＞
ヘッド交換機構１７０（図１０、図１１）は、ピンロック１７３、内部交換シリンダ１７７および外部交換シリンダ１８６を含み、これらの全てが互いに対して摺動する。内部交換シリンダ１７７はピンロック１７３を収容する。内部交換シリンダ１７７はシャフトヘッド交換セクション１６１に連結される。内部交換シリンダ１７７および外部交換シリンダ１８６は、六角形などの様々な凹状および凸状の少なくとも一方の幾何学的形状を有し得る。
【００６８】
ピンロック１７３は、標準的なホーゼル１９９の中空シリンダ状突起１９８に永久的に取り付けられ、ひいては、固定ロフトのヘッド２０１、３０１、４０１に連結される。換言すると、前記ピンロックは、任意の市販の固定ロフト角のヘッドに適切に取り付けられて、市販のヘッドを交換可能なヘッドとして構成することができる。図１４〜１６に示すように、プレイヤーは、標準的なホーゼル１９９を備える既存の市販の固定ロフトのヘッド２０１、３０１、４０１を選択して、標準的な市販のシャフトと同じように、すわなち接着剤を使用して取り付けられたピンロック１７３を代わりに使用することができる。
【００６９】
図２５および図３０に示すように、ピンロック１７３はまた、ホーゼルセクション５３３ａ、５３３ｂの雌型ホーゼル突起５３４ａ、５３４ｂに永久的に取り付けられ、それゆえロフトを調整可能なヘッド２０２、３０２に連結され得る。任意選択的に、ピンロック１７３は、ヘッド交換機構１７０に適合する雄型ホーゼル突起５３５ａ、５３５ｂによって置き換えられてもよく、ホーゼルロフト軸５３２ａ、５３２ｂの製造中に形成され、かつ図２５および図３０に示すようなホーゼルセクション５３３ａ、５３３ｂまたは標準的なホーゼル１９９から起立したピンロック雄型突起１７４と同等である。
【００７０】
ホーゼルセクション５３３ａ、５３３ｂまたは標準的なホーゼル１９９から起立したピンロック雄型突起１７４は、耐トルク性幾何学的形状（Ｔｏｒｑｕｅ−ｒｅｓｉｓｔａｎｔ  Ｇｅｏｍｅｔｒｙ）を有する。内部交換シリンダの内表面１７８の幾何学的形状は、ピンロック雄型突起１７４の外表面の幾何学的形状に適合する。
【００７１】
内部交換シリンダ１７７は、表面半径方向ボア１８２に少なくとも１つのロック要素１８３を収容する。
ピンロック雄型突起１７４は、その表面に、ロック要素１８３を収容する少なくとも１つのピンロック用窪み１７５を含む。
【００７２】
連結位置１７１では（図１２）、ロック要素１８３は、半径方向に摺動して、ピンロック用窪み１７５、前記半径方向ボア１８２、および外部交換シリンダの内表面１８７に閉じ込められる。
【００７３】
非連結位置１７２では（図１３）、プレイヤーは外部交換シリンダ１８６を摺動させ、外部交換シリンダの内表面１８７にあるデカップリング凹部１８８によって、ロック要素１８３が半径方向に摺動できるようにし、ロック要素１８３をピンロック用窪み１７５から解放する。
【００７４】
ピンロック雄型突起１７４は小径端部セクションを備え、小径端部セクションは、内部交換シリンダ１７７に挿入され、かつホーゼルセクション５３３ａ、５３３ｂまたは標準的なホーゼル１９９内へ向けて拡大する。前記ピンロック雄型突起１７４は凹状または凸状の多角形であり、少なくとも特有の幾何学的形状によって、固有の組立の向きを可能にする。ホーゼルセクション５３３ａ、５３３ｂまたは標準的なホーゼル１９９に挿入されたピンロックホーゼル突起１７６は、標準的なシャフトをホーゼルセクション５３３ａ、５３３ｂまたは標準的なホーゼル１９９に典型的な方法によって取り付けることができるようなサイズを備える中空のシリンダ状幾何学的形状を有する。
【００７５】
ピンロック１７３は、ホーゼルセクション５３３ａ、５３３ｂまたは標準的なホーゼル１９９に、標準的なシャフトを取り付ける典型的な取り付け方法と類似または同等の方法によって、ピンロック１７３のピンロックホーゼル突起１７６を取り付けることを可能にし、これらの方法は、コンタクトセメント、硬化エポキシ樹脂、ロッキングスリーブ、圧縮コーン（ｃｏｍｐｒｅｓｓｉｏｎ  ｃｏｎｅ）、干渉性ロック、エキスパンションジョイント、軸線方向締付けねじ、側面締付けねじ、ボルト付きまたはリベット継手、および任意の技術的な等価物の少なくとも１つを含む。
【００７６】
好ましい構成では、ピンロック雄型突起１７４を含む凸状の多角形セクションは、六角形と規定される。少なくとも１つの六角形フェースは特有の幾何学的形状を有し、固有の組立位置を可能にする。ロック要素１８３はボールである。１つまたは複数のロッキングボール１８３が、内部交換シリンダの内表面１７８の六角形セクションに対応する領域において、等しい距離をおいて設けられた１つ以上の円錐形の半径方向ボア１８２に配置される。ピンロック用窪み１７５は凹状半球であり、それらの凹状半球の直径は、最も幅の広い点でも、ロッキングボール１８３の直径以下である。ピンロック用窪み１７５は、六角形ピンロック１７３に配置され、かつヘッド交換機構１７０が連結位置１７１にあるときには、図１２に示されるように、前記半径方向ボア１８２、ひいてはロッキングボール１８３の位置に適合する。
【００７７】
ピンロック用窪み１７５は、代替的に、幾何学的形状が回転式円形セクションである領域を含む構成を有し、この回転式円形セクションの回転軸線はピンロックの軸線に適合し、およびその最も幅の広いセクションのサイズは、ロッキングボール１８３のサイズ以下である。
【００７８】
内部交換シリンダ１７７は、外表面１７９にカップリングスプリング１８４を収容し、カップリングスプリングは、伸張時、図１２に示すように、外部交換シリンダ１８６を連結位置１７１に押し込む。押圧されたカップリングスプリング１８４は、図１３に示すように、外部交換シリンダ１８６を非連結位置１７２に押し込む。外部交換シリンダ１８６、ひいてはカップリングスプリング１８４に対するプレイヤーの動作は、軸線方向、ねじり、またはそれらの組み合わせとし得る。
【００７９】
ヘッド交換機構１７０は、任意選択的に、内部交換シリンダ１７７の底部にデカップリングスプリング１８５を含み、このデカップリングスプリングは、連結位置１７１においてはピンロック雄型突起１７４の先端部に対して押圧されたままである（図１２）。
【００８０】
ヘッド交換機構１７０は、ガイドスロット１８０において移動するガイドピン１８１を含み、外部交換シリンダ１８６の移動を制限し得る。前記ガイドピン１８１は、外部交換シリンダ１８６に連結され、外部交換シリンダ１８６を貫通する。ガイドピン１８１の幅の前記ガイドスロット１８０は、軸線に平行でかつ内部交換シリンダ１７７の外表面上の縦方向凹部である。
【００８１】
上述の実施例１、２に関し、ピンロック１７３は、市販の固定ロフト角のヘッド、即ちパターのヘッド４０１および１番ウッドすなわちドライバのヘッド２０１に組み込まれる。標準的なホーゼル１９９の内部のサイズが市販のヘッドのタイプに応じて変化するように、適切なピンロックのサイズを提供する必要がある。特にホーゼルセクション５３３ａ、５３３ｂにあるロフトを調整可能なヘッド２０２、３０２に関して、オプションは、雄型ホーゼル突起５３５ａ、５３５ｂである。ヘッド交換機構１７０に挿入されるピンロック雄型突起１７４および雄型ホーゼル突起５３５ａ、５３５ｂなどのバージョンの突起は、常に同じサイズを有し、ひいては、ヘッド交換機構１７０によって、長さを調整可能なシャフト１００にある固定および調整可能なロフトのヘッドを交換できるようにする。
【００８２】
標準的なホーゼル１９９（図１４〜１６）に挿入される外径の規定に制限はない。現在のところ、固定ロフトのアイアンヘッド３０１のホーゼル内径、および固定ロフトのウッドヘッド２０１の異なる内径が一般的である。両直径は、少なくとも２つのタイプのピンロック１７３を必要とする。固定ロフトのパターヘッド４０１に関して、サイズおよび構成の点でより広範囲の標準的なホーゼル１９９が存在し、雄型のものまたは雌型のもののいずれも存在する。さらに、一部の構成は、オフセットを有するピンロック１７３を必要とする。そのため、市販の固定ロフトのパターヘッド４０１に適合する好ましいピンロック構成は、前記ヘッド用に特別に設計される必要がある。しかしながら、そのような特定の設計は、標準的なホーゼル１９９に挿入されるピンロックホーゼル突起１７６のみに対して必要である。好ましい構成では、ヘッド交換機構１７０に挿入されるピンロック雄型突起１７４のサイズは変わりがなく、長さを調整可能な１本または少数のシャフト１００でのヘッドの交換を可能にする。
【００８３】
＜伸縮式機構＞
伸縮式機構１３０（図６、図７）は、互いに摺動する内部伸縮式シリンダ１３６と外部伸縮式シリンダ１３３とを含む。内部伸縮式シリンダ１３６は、長さ調整可能セクション１６３にわたって摺動して、ハンドルコア１２２に、ひいてはハンドル１２０に連結される。内部伸縮式シリンダ１３６の表面にある１つ以上のロック用半径方向ボア１３７は、少なくとも１つのロック要素１３８を収容する。内部伸縮式シリンダ１３６および外部伸縮式シリンダ１３３は、六角形などの様々な凹状および凸状の少なくとも一方の幾何学的形状を有し得る。
【００８４】
個別の長さ方向位置１６５は、調整面１６８にある少なくとも１つのシャフト窪み１６５によって形成される。前記窪みはロック要素１３８を収容する。前記調整面は耐トルク性幾何学的形状を有する。
【００８５】
ロック位置１３１では（図８）、１つまたは複数のロック要素１３８が、前記ロック用半径方向ボア１３７において、および外部伸縮式シリンダの内表面１３４において、シャフト窪み１６５に閉じ込められるまで半径方向に摺動する。
【００８６】
ロック解除位置１３２では（図９）、プレイヤーは外部伸縮式シリンダ１３３を摺動させ、外部伸縮式シリンダの内表面１３４にあるロック解除凹部１３５によって、１つまたは複数のロック要素１３８が半径方向に摺動できるようにし、ロック要素１３８をシャフト窪み１６５から解放する。
【００８７】
調整面１６８は、シャフト１６０の表面に対して連続的な面として作製された一連の表面シャフト窪み１６５を含む。換言すると、前記窪みは、シャフトにある孔ではなく、表面材料が途中で途切れないようにする。
【００８８】
シャフト１６０が複合材料で作製される場合、調整面１６８のシャフト窪み１６５は、シャフト窪み１６５の周りの全領域、ならびにシャフト窪み１６５を含む領域が、繊維の連続性を途切れさせない。シャフト１６０が鋼などの多結晶材料で作製される場合、シャフト窪み１６５の周りの全領域、ならびにシャフト窪み１６５を含む領域は、結晶構造の連続性を途切れさせない。
【００８９】
考えられる構成は、混合材料のシャフト１６０である。シャフト１６０の本体は全セクションにおいて複合材料で作製される。しかしながら、外側調整面１６８の仕上がりにおいて硬さを増強するために、このセクションは、内側複合材料層に取り付けられた鋼などの複合材よりも硬い材料製の薄いシートを使用して作製される。実際、好ましい構成は、一連のシャフト窪み１６５（図４）を含む外表面部分のみを覆う前記硬いシートを有する。
【００９０】
調整面１６８は、伸縮式機構１３０用のガイドスロットとして少なくとも１つの切れ目を含む。そのような切れ目は、耐トルク性幾何学的形状を有する。特に、ガイドスロットは、少なくとも平面１６４、またはシャフト表面に対してＵ字形状またはＶ字形状を有し得る。内部伸縮式シリンダの内表面１３９は、前記調整面１６８に適合する。
【００９１】
好ましい構成では、調整面１６８は、円形セクションと、１８０°の角度をおいて互いに対向する２つの平面１６４（図４）から構成された別のセクションとを有する。平面は、シャフト窪み１６５を収容する。窪みは、対向平面に配置された、１８０°の角度をおいて対向する対の凹状半球の形状を有し得る。そのため、ロック要素１３８は、前記窪みに半径が適合する球である。
【００９２】
好ましい構成では、シャフト窪み１６５を収容する前記対向平面１６４（図４）は、それらの外表面が、ひいては、それらの表面仕上げ層が、鋼などの薄い多結晶材料の個々のシートによって作製され、かつシャフト１６０の複合体に取り付けられ得る。結晶構造材料の前記シートの構造は、シャフト窪み１６５を含む。
【００９３】
内部伸縮式シリンダ１３６は、その外表面に、ロックスプリング１４２を収容し、そのロックスプリングは、伸張時、外部伸縮式シリンダ１３３をロック位置１３１に押し込む（図８）。押圧されたロックスプリング１４２は、外部伸縮式シリンダ１３３をロック解除位置１３２に押し込む（図９）。外部伸縮式シリンダ１３３、ひいてはスプリング１４２に対するプレイヤーの動作は、軸線方向に沿った動き、ねじり、またはそれらの組み合わせとし得る。
【００９４】
内部伸縮式シリンダ１３６は、シャフト窪み１６５に部分的に入っている位置決め用ボールポインタ１４０を含む位置決め用半径方向ボア１４４を有する。ボールは、前記ボール１４０と前記内部伸縮式シリンダ１３６の外表面とを覆うリング型スプリング１４１によって、シャフトに対して半径方向に押圧される。
【００９５】
内部伸縮式シリンダ１３６は、外部伸縮式シリンダ１３３用の移動ストッパ１４３を含む。前記ストッパは、内部伸縮式シリンダ１３６の外表面の開始部にある小さなタブであり、外部伸縮式シリンダの内表面１３４のロック解除凹部１３５に収まって、移動限界を設定する。
【００９６】
シャフトバットセクション１６６はシャフトバット端部１６７（図４）を含み、このシャフトバット端部は、伸縮式ハンドル１１０を案内して、その最大長を制限する。
＜コンパクトで構成変更可能なゴルフクラブセットの使用＞
ショットを打つ前に、プレイヤーは、交換可能なヘッド２００、３００、４００、および長さを調整可能なシャフト１００を選択する。長さを調整可能なシャフト１００は、実施例２で説明したように（図２）、コンパクトなクラブセットが２つ以上のシャフトを含むときに選択される。所望のクラブを組み立てる方法は、以下のステップを含む。
【００９７】
第１ステップ：プレイヤーは、選択した交換可能なヘッド２００、３００、４００を、ヘッド交換機構１７０によって長さを調整可能なシャフト１００に連結する。これは、選択したシャフトに予め連結されていたヘッドを分離させる必要があり得る。ヘッド交換機構により、外部交換シリンダ１８６を連結位置１７１（図１２）から非連結位置１７２（図１３）に摺動させることによって、前記ヘッドの取り換えが可能である。
【００９８】
第２ステップ：ロフトを調整可能なヘッド２０２、３０２に関して、プレイヤーは、調整可能なロフト機構５００ａ、５００ｂにあるダイヤル５１９ａ、５１９ｂを回すことによって、ロフト角５０９ａ、５０９ｂを調節する。
【００９９】
第３ステップ：プレイヤーは、伸縮式ハンドル１１０にある伸縮式機構１３０によって、長さを調整可能なシャフト１００を伸ばしたりまたは短くしたりする。プレイヤーは、指を使用して、外部伸縮式シリンダ１３３をロック位置１３１（図８）からロック解除位置１３２（図９）へ移動する。プレイヤーは、長さ調整可能セクション１６３にわたって所望の位置まで前記ハンドルを摺動させ、ハンドルをシャフトにロックする。
【０１００】
第４ステップ：プレイヤーは、クラブの構成、およびボールの前の打撃位置において、ソールを地面に置くことによって、取り付けられたヘッドの水平の位置を確認する。
第２ステップ２および第３ステップの順序は交換可能である。
【０１０１】
引用文献一覧
本発明の範囲に全体的にまたは部分的に取り組んでいる特許文献は豊富にある。本発明者らの従来技術の検討は、問題に包括的に取り組む試みをした特許、および本発明に最もよく似た機構に焦点をあわせる。
【０１０２】
特許文献
米国特許第７２０７８９７号明細書、「ゴルフクラブヘッドおよびシャフトコネクタおよび方法（Ｇｏｌｆ  Ｃｌｕｂ  Ｈｅａｄ  ａｎｄ  Ｓｈａｆｔ  Ｃｏｎｎｅｃｔｏｒ  ａｎｄ  Ｍｅｔｈｏｄ）」
米国特許第６５４７６７３号明細書、「交換可能なゴルフクラブヘッドおよび調整可能なハンドルシステム（Ｉｎｔｅｒｃｈａｎｇｅａｂｌｅ  Ｇｏｌｆ  Ｃｌｕｂ  Ｈｅａｄ  ａｎｄ  Ａｄｊｕｓｔａｂｌｅ  Ｈａｎｄｌｅ  Ｓｙｓｔｅｍ）」
米国特許第５０８３７７９号明細書、「普遍的なゴルフクラブ構造（Ｕｎｉｖｅｒｓａｌ  Ｇｏｌｆ  Ｃｌｕｂ  Ｃｏｎｓｔｒｕｃｔｉｏｎ）」
米国特許第４２５３６６６号明細書、「パー３コース用の個人用ゴルフセット（Ｐｅｒｓｏｎａｌ  Ｇｏｌｆ  Ｓｅｔ  Ｆｏｒ  Ｐａｒ−３  Ｃｏｕｒｓｅ）」
米国特許第２０９１７９４号明細書、「ゴルフクラブ（Ｇｏｌｆ  Ｃｌｕｂ）」
以下は、簡単な説明、要約、本発明との比較を含む前記特許の詳細な検討、および、前記特許に対する本発明の抵触および発明レベルの検討である。
【０１０３】
米国特許第７２０７８９７号明細書、「ゴルフクラブヘッドおよびシャフトコネクタおよび方法（Ｇｏｌｆ  Ｃｌｕｂ  Ｈｅａｄ  ａｎｄ  Ｓｈａｆｔ  Ｃｏｎｎｅｃｔｏｒ  ａｎｄ  Ｍｅｔｈｏｄ）」
米国特許第７２０７８９７号明細書に開示される発明は、シャフトおよびヘッドを交換できるようにする連結機構を提案している。米国特許第７２０７８９７号明細書は、クラブの構成の最中にヘッドの交換を可能にする用具、および用具の組立方法を開示している。競技中の使用は意図されていない。
【０１０４】
米国特許第７２０７８９７号明細書の要約
米国特許第７２０７８９７号明細書の特許請求の範囲は、具体的に、シャフトとアダプタを含むヘッドとを含むクラブアセンブリに使用されるコネクタを含み、コネクタは、
シャフトおよび第１の交換可能なコネクタアセンブリと、
第２の交換可能なコネクタを備えるヘッドアセンブリであって、ヘッドアダプタに安全に連結されるようなサイズにされたヘッドアセンブリとを含む。第２のコネクタは、半径方向外側に延在してヘッドアダプタ部分の境界を定める停止フランジを含む。
【０１０５】
第１の交換可能なコネクタに第１のねじ山が形成され、および第２の交換可能なコネクタに第２のねじ山が形成され、第１および第２のねじ山が、シャフトとヘッドアセンブリとを連結するために適合する。
【０１０６】
米国特許第７２０７８９７号明細書と本発明の比較
米国特許第７２０７８９７号明細書は、競技の前に操作されるヘッド交換機構に限定された技術的な問題に取り組んでいる。競技中の各ショットの前に使用するようには設計されていない。
【０１０７】
ねじ式コネクタでは、同心円状に軸線を整列させることが困難である。米国特許第７２０７８９７号明細書が、競技中に前記用具を連結しようとする場合、ＵＳＧＡ規則６および７に抵触する極端な遅れを生じる。
【０１０８】
対照的に、シャフトとヘッドとの連結に関する重要な点は、本発明は、ねじ式コネクタを使用していない。それは、プレイによって故意でなくヘッドを放してしまい、それゆえ遅れを生じる可能性があるためである。
【０１０９】
米国特許第７２０７８９７号明細書と本発明の非抵触
米国特許第７２０７８９７号明細書は、シャフトおよびヘッドの交換のみに関する特定の解決法であるため、米国特許第７２０７８９７号明細書は、本発明に抵触していない。前記機構については、米国特許第７２０７８９７号明細書は、ねじ式コネクタを使用する解決法を使用している。
【０１１０】
米国特許第７２０７８９７号明細書に対する本発明の発明水準
米国特許第７２０７８９７号明細書において開示された要素からは、知識が豊富な者であっても、本発明で開示されている、ヘッドへのシャフトの連結に取り組む構成要素を推測できない。本発明の条件は、クラブの構成中だけでなく、競技中に交換できるようにするものである。
【０１１１】
米国特許第６５４７６７３号明細書、「交換可能なゴルフクラブヘッドおよび調整可能なハンドルシステム（Ｉｎｔｅｒｃｈａｎｇｅａｂｌｅ  Ｇｏｌｆ  Ｃｌｕｂ  Ｈｅａｄ  ａｎｄ  Ａｄｊｕｓｔａｂｌｅ  Ｈａｎｄｌｅ  Ｓｙｓｔｅｍ）」
米国特許第６５４７６７３号明細書は、市販の部品を、交換可能なゴルフクラブシステムに変換する方法を説明している。このシステムは、２つの要素からなる。すなわち第１の要素は、標準的なシャフトを取り換えるために、標準的なヘッドアダプタに取り付けられることを意図したものであり、第２の要素は、シャフトの底部に取り付けられるインサートである。
【０１１２】
ヘッドインサートおよびシャフトインサートは、シャフトとヘッドとを連結するクイックコネクタを形成する。どのゴルフクラブも、ヘッドインサートがそれぞれ予め組み込まれているウッド、アイアンおよびパタータイプの全ての範囲のヘッドを代表する異なるヘッドを使用することによって、まねることができる。
【０１１３】
さらに、本発明は、シャフトの上部に挿入されたピンによってシャフトの長さを調整する用具を説明している。このピンは、シャフトにわたって摺動する伸縮式スリーブに配置された複数のスロットと協働する。
【０１１４】
米国特許第６５４７６７３号明細書の発明は、本発明の技術的な問題への取り組みであるが、本発明で詳述された要素は、可変ロフト角を可能にすることによって、ヘッド数を著しく減少させる解決法を提供しており、この特徴は、米国特許第６５４７６７３号明細書に含まれていない。
【０１１５】
米国特許第６５４７６７３号明細書の要約
米国特許第６５４７６７３号明細書では、クイックコネクタを得るために使用された取り付け手段は、前記ヘッドインサートの一部分に沿って軸線方向に延在する軸線方向スロットを規定する手段と、前記軸線方向スロットから周方向に延在する周方向スロットであって、前記軸線方向スロットに沿ってシャフトインサートピンを摺動させかつ前記シャフトインサートを回転させて前記ピンを前記周方向スロットに沿って動かすことによって前記ヘッドがシャフトに連結される周方向スロットを規定する追加的な手段とによってヘッドインサートを含む。前記シャフトインサートは、前記シャフトインサートから半径方向外側に突出するばね荷重受け部、および前記シャフトインサートを前記ヘッドインサートに選択的に非回転式にロックするために、ばね作用受け部を収容するために前記ヘッドインサートに孔を規定する手段をさらに含む。
【０１１６】
米国特許第６５４７６７３号明細書と本発明の比較
米国特許第６５４７６７３号明細書は、標準的なヘッドの交換とシャフトの長さのバリエーションにのみ基づいており、かつ、ロフト角のバリエーションなどの追加的な構成の特徴を加えていない。従来の１４本のクラブセットをまねるために、プレイヤーは、削減したセットに１４個のヘッドを持ち運ぶ必要がある。そのため、シャフト数のみが削減されている。部分的な削減であると考えると、所望の利点も部分的であり、それゆえ、この提案の比較優位は限定されている。
【０１１７】
米国特許第６５４７６７３号明細書は、説明の内容および添付の図面から要約されているものを除けば、詳細には議論されていない伸縮式の調整を特許請求している。説明の伸縮式機構は、製造には不適切である。複合材料から作製された伸縮式チューブ状ユニットにあるスロットは、シャフトの機械的性質に不連続性をもたらす。スロットタイプの幾何学的形状によって生じた、機械的負荷および高応力を支える繊維の中断は、負荷を、そのような材料では許容できないレベルまで増大させる。これは、鋼などの従来の材料でも同様である。
【０１１８】
シャフトには、前記シャフトを、選択した長さ方向位置に保持するロック機構がなく、およびピンがスロットに嵌っている方法では、シャフトが競技中に受ける衝撃に耐えられる堅固な連結をほとんどもたらさない。
【０１１９】
米国特許第６５４７６７３号明細書に係るクイックコネクタは、スロットを摺動するピンを含み、かつ、スプリングまたは弾性力によって適所に留まるピンによって回転しないように取り付けられている。そのため、競技中、受け部の弾性力を上回る回転力がコネクタに加えられ、機構を回転させ、および付随してヘッドが解放される危険性がある。このために、米国特許第６５４７６７３号明細書に係るクイックコネクタには、事故の原因となり得る動作リスクがある。
【０１２０】
米国特許第６５４７６７３号明細書と本発明の非抵触
本発明および米国特許第６５４７６７３号明細書は、明らかに異なる特徴を開示している。米国特許第６５４７６７３号明細書では、伸縮式のヘッド交換機構が劣っており、およびロフト角機構がない。本発明は、ゴルフの実践で機械的構成部品に課せられる機械的な高負荷をより確実に支持する機構を使用するため、より信頼性が高い。
【０１２１】
米国特許第６５４７６７３号明細書に対する本発明の発明水準
本発明は、米国特許第６５４７６７３号明細書に対して、ロフト角調整などの追加的な要素を開示しており、ロフト角調整は、実施および信頼性に関して、引用した従来技術からは推測できない。
【０１２２】
米国特許第５０８３７７９号明細書、「普遍的なゴルフクラブ構造（Ｕｎｉｖｅｒｓａｌ  Ｇｏｌｆ  Ｃｌｕｂ  Ｃｏｎｓｔｒｕｃｔｉｏｎ）」
米国特許第５０８３７７９号明細書に開示されている発明は、様々なゴルフクラブ構成を生成するための、シャフトの長さ、ロフト角、ライ角、重量、および衝撃面の調整について説明している。
【０１２３】
米国特許第５０８３７７９号明細書の要約
米国特許第５０８３７７９号明細書は、上端部および下端部を備えるシャフトと、シャフトの上部に動作可能に関連付けられた調整可能なハンドルと、第１の水平軸線に対して動作可能に取り付けられた前記要素に回転可能に連結されたヘッドとを備えた普遍的なゴルフクラブを開示しており、ヘッドは、本体と、前記本体から延びかつ前記第１の水平軸線にほぼ垂直に配置された第２の水平軸線を通って前記本体に回転可能に連結された衝撃面を備える部材とを含む。
【０１２４】
米国特許第５０８３７７９号明細書と本発明の比較
米国特許第５０８３７７９号明細書は固定ヘッドを配置しており、それゆえ、ストロークのタイプの調整はできない。例えば、ティーオフではウッドヘッドを用い、グリーンへのショットではアイアンタイプのヘッドを用い、またはホールショットではパタータイプのヘッドを用いる。
【０１２５】
競技中にシャフトに永久的に連結されるヘッドを配置することによって、米国特許第５０８３７７９号明細書は、プレイヤーが、シャフトの長さを調整するとき、ライ角も調整する必要があることを暗示している。そのため、シャフト調整は２つの動作を含む。そのため、調整プロセスに時間がかかり、かつストロークの連続性に価値を置く競技の精神に矛盾する。
【０１２６】
ロフト角およびライ角機構は、歯付きカップリングに基づいている。これは、デカップリング、調整、および連結を必要とする。換言すると、３つのステップによって位置が変更される。時間のかかる調整プロセスは、ＵＳＧＡ規則６および７のストロークの連続性の原理に矛盾する。
【０１２７】
歯付きスキームは、ショットを打つためにプレイヤーが望む位置または角度を設定する必要のない個別位置を有する。
ピンによるシャフト調整は、適切に取り扱えかつ固く連結されているという感覚とは矛盾する許容範囲を必要とする機構をもたらし、この機構は、プレイヤーに、「緩みのある」用具という感覚を与える。
【０１２８】
最後に、ヘッドの裏側にあるインサートによる重量調整は、時間がかかり、ストローク間では実行不可能な厄介な操作である。
米国特許第５０８３７７９号明細書と本発明の非抵触
結論として、米国特許第５０８３７７９号明細書は、本発明で説明した全ての調整タイプを考慮していないため、本出願の発明に抵触していない。さらに、本発明は、米国特許第５０８３７７９号明細書において開示された要素からは直接導き出すことができない機構によって、技術的な問題に取り組んでいる。
【０１２９】
米国特許第５０８３７７９号明細書に対する本発明の発明水準
米国特許第５０８３７７９号明細書に対して、本発明の基本設計は、自由なヘッド交換を可能にし、交換可能なウッドによるロングショット、交換可能なアイアンによるアプローチショット、または交換可能なパターによるホールショットを可能にする。
【０１３０】
さらに、本発明は、極めて速い調整や連結、「緩みのある」感覚を回避させる非常に厳しい許容範囲、およびコンパクトなゴルフクラブセットの各調整位置での、従来のクラブでの競技を模倣することを可能にする基本設計概念の機構を含む。
【０１３１】
米国特許第４２５３６６６号明細書、「パー３コース用の個人用ゴルフセット（Ｐｅｒｓｏｎａｌ  Ｇｏｌｆ  Ｓｅｔ  Ｆｏｒ  Ｐａｒ−３  Ｃｏｕｒｓｅ）」
米国特許第４２５３６６６号明細書は、単一の２セクションシャフトで組み立てられる一連の３ヘッドからなるゴルフクラブセットを説明している。米国特許第４２５３６６６号明細書は、前記部品を運ぶためのバッグの詳細な説明を含む。
【０１３２】
米国特許第４２５３６６６号明細書の要約
この特許は、クラブセットを持ち運ぶための手段に関するが、この文献では、クイックコネクタを得るための取り付け手段が、ホーゼルを、軸線方向連結を保証しかつ回転を防止する一対のスナップ式のフィンスプリング（ｓｎａｐ  ｆｉｎ  ｓｐｒｉｎｇ）を備えるピンロックの代わりに使用するヘッドを含む。前記ピンロックはシャフトに挿入され、このシャフトは、連結フィンスプリングの挿入、およびヘッドのシャフトへの取り付けのためのスロットを含む。
【０１３３】
米国特許第４２５３６６６号明細書は、３ヘッドタイプ、すなわち中距離用のアイアンタイプ、短い距離用のアイアンタイプ、およびパターについて開示している。
米国特許第４２５３６６６号明細書は、また、同じ軸線方向連結機構の変形型を使用して組み立てられた２つの部分を含むシャフトを説明しており、この軸線方向連結機構は、一方の部分にフィンスプリングを含み、これらフィンスプリングは、シャフトの他方の部分にあるスロットに挿入され、それにより、２つのシャフト部分を軸線方向に回転式に取り付ける。
【０１３４】
米国特許第４２５３６６６号明細書と本発明の比較
米国特許第４２５３６６６号明細書は、原理上３ヘッドに限定されたヘッド交換のみに基づいている。シャフトの長さの変動は提案しておらず、およびロフト角の変動などの追加的な構成の特徴を加えていない。これらの制約を考えると、米国特許第４２５３６６６号明細書は、その範囲を、限定された範囲のストロークに限定している。例えば、ウッドストロークは除外しており、かつ、パー３コースを対象としたものであることに留意されたい。
【０１３５】
一対の軸線方向取り付けフィンスプリングからなる機構は、チューブ状ユニットにあるスロットが、シャフトの機械的性質における不連続性の原因となるため、複合材料には不適切である。機械的負荷と、スロットタイプの幾何学的形状によって生成された高応力とを支える繊維の中断は、負荷を、そのような材料では許容できないレベルまで増大させる。これは、鋼などの従来の材料でも同じである。なぜなら、フィンスプリングが、ボールに対してクラブが衝撃を受けている最中にフィンベースにおいて発生した重大なトルク応力を吸収する必要があり、用具の寿命を短くするためである。
【０１３６】
米国特許第４２５３６６６号明細書は、標準的なクラブセットの機能性を低下させているため、その優位性は制限されている。
米国特許第４２５３６６６号明細書と本発明の非抵触
本発明および米国特許第４２５３６６６号明細書は、異なる特徴を説明している。米国特許第４２５３６６６号明細書は、３ヘッドを含むことに限定しており、シャフトの長さ調整機構を提案しておらず、およびヘッドのロフト角調整機構を含まない。米国特許第４２５３６６６号明細書は、その連結機構の基礎を、ベースに応力を集中させるフィンスプリングに置いており、それゆえ、使用され得る構成材料のタイプ、および用具の寿命を限定している。
【０１３７】
米国特許第４２５３６６６号明細書に対する本発明の発明水準
本発明は、伸縮式シャフト調整およびヘッドのロフト角調整などの、米国特許第４２５３６６６号明細書にはない追加的な要素を開示しており、それらは、実施および信頼性に関して、引用した従来技術からは導き出すことができない。
【０１３８】
本発明に示した機構は、迅速に調整され、容易に操作でき、およびとりわけ頑丈であり、ストロークによって生成される重大なトルク応力が集中しないようにしている。
米国特許第２０９１７９４号明細書、「ゴルフクラブ（Ｇｏｌｆ  Ｃｌｕｂ）」
米国特許第２０９１７９４号明細書は、端部に歯車を含む軸線に連結された旋回式ヘッドについて説明している。固定歯付き端部を備えるガイドピンは、歯車を解放し、それゆえ、ヘッド角度を設定するまたは調整できるようにする。ガイドピンは、シャフトの内側から突出するねじの部分である。シャフトから突出するねじを回すことによって、歯車の近くにまたはそこから離れるようにガイドピンを引っ張る。中空ピンロックは、上述の機構を収容する。
【０１３９】
米国特許第２０９１７９４号明細書は、シャフトとハンドルとの間の同心のチューブ状連結部によって動作する伸縮式の調整を開示している。
米国特許第２０９１７９４号明細書の要約
主クレームでは、米国特許第２０９１７９４号明細書は、文字通り、中空ステムおよびブレードを有するヘッドと、地面に平行な軸線の周りでブレードを旋回させる手段とを含むゴルフクラブについて説明している。調整は、ブレードに剛的に連結されかつ中空シャフトに延在する円形歯付き部材と、前記歯付き部材と係合するように適合され、角度をつけて配置された歯付き面を有するシャフトの内側に配置されたガイドピンと、ガイドピンを、前記歯付き部材との係合から強制的に解除するようにする、ステムの内側に配置された手段と、中空部材にねじ式に係合し、かつ前記シャフトが予め定められた距離ステムにねじ込まれると、前記手段の強制的な作用に抗して、ガイドピンを歯付き部材と係合させるように適合されたシャフトとを含み、前記手段は、シャフトが予め定められた距離ねじって外されて、ブレードの調整を可能にすると、ピンを歯付き部材との係合から強制的に解除するようにする。ヘッドは、いずれかのフェースで当たることができるブレードとして説明されており、右手または左手での使用を可能にする。
【０１４０】
米国特許第２０９１７９４号明細書は、説明の内容および添付の図面から要約されたものを除いて、特許請求の範囲では詳述されていない伸縮式の調整について説明している。伸縮式の調整は、シャフトとハンドルとの間の同心のチューブ状連結部によって動作する。シャフトは、一定間隔で半径方向の凹状窪みを有する。ハンドルは、歯付き領域を含み、およびその端部には、凹状窪みに挿入できるような形状にされたリップ部を含む。リップ部は、歯付きハンドル領域にねじで留められる雌ねじシリンダ状部品によって設定または解放される。ハンドルが回転しないようにするために、シャフトは、その外表面に軸線方向の凹状ガイドスロットを有する一方、ハンドルは、その内表面に凹状ガイドスロットを有する。
【０１４１】
米国特許第２０９１７９４号明細書と本発明の比較
米国特許第２０９１７９４号明細書は、アイアンタイプのヘッドでのロフト角の変動を説明しており、ウッド、アイアン、ウェッジ、およびパターを含むゴルフクラブセットの全ヘッドの特徴を模倣しようとするものである。
【０１４２】
この機構はヘッド交換を可能にせず、プレイヤーのショットおよび可能性を限定している。本発明はヘッド交換を可能にし、これは、重量の異なるヘッドを使用する長さの異なるクラブの間の慣性モーメント、ロフト角を考慮して設計されたソールによる地面との適切な接触、およびウッドおよびパターヘッドでの慣性モーメントの増加によって、より安定的なストロークのバランスをとるなど、基本的な問題を解決する。本発明はヘッド交換を可能にし、これにより、上述の問題が、ショットを打つ前に、プレイヤーの裁量に確実に任されるようにする。
【０１４３】
米国特許第２０９１７９４号明細書で説明されているヘッド調整機構は複雑であり、それゆえ故障しやすい。調整は、干渉面が非常に小さい歯付き領域に依存している。ゴルフの部品は著しいトルクの影響を受けやすく、小さな部品に伝達されると、破損を生じかつ用具の寿命を短縮し得る著しい応力レベルを発生させる。
【０１４４】
米国特許第２０９１７９４号明細書は、部分をハンドルの端部にねじで留めることに基づく伸縮式の調整によるシャフトの長さの変動について説明している。
同じねじって設定し、ねじらず外すタイプの解決法は、ヘッド角調整に対しても提案されている。
【０１４５】
米国特許第２０９１７９４号明細書は、所望の角度および所望の長さの少なくとも一方にねじらず外し、ねじって設定することにより暗示される繰り返しの行為によって、ショットを打つ前にクラブを調整することを含む。７２回のストロークに対して、これは非常に面倒な提案である。
【０１４６】
本発明の機構は、位置調整の影響を最小限にするように設計されている。ロフト角はねじによって操作するが、ねじは常にロフト角を設定し、それにより、外すこと及び設定することの問題を全て回避する。
【０１４７】
本発明では、シャフトの長さは、ハンドルに沿って配置された外部リングを摺動させることによって調整される。リングは、スプリングによって位置およびシャフトの長さを設定し、それゆえ、操作を最小限にする。
【０１４８】
米国特許第２０９１７９４号明細書と本発明の非抵触
本発明および米国特許第２０９１７９４号明細書は、完全に異なるロフト角およびシャフトの長さ調整機構について開示している。本発明はヘッド交換を可能にし、これは、米国特許第２０９１７９４号明細書では考慮されていない。
【０１４９】
米国特許第２０９１７９４号明細書に対する本発明の発明水準
本発明は、米国特許第２０９１７９４号明細書と同じ目的のための要素、例えば伸縮式シャフトおよびヘッドのロフト角調整などについて開示しているが、実施方法が異なり、かつ信頼性を高めている。本発明はまた、任意の標準的な市販のヘッドと共に使用できるラピッドカップリング機構を組み込んでいる。
【０１５０】
本発明の機構は、迅速に調整され、容易に操作され、およびとりわけ頑丈であり、ストロークによって生成される重大なトルク応力が集中しないようにしている。
【図１】
0005727039.tif 000002
【図２】
0005727039.tif 000003
【図３】
0005727039.tif 000004
【図４】
0005727039.tif 000005
【図５】
0005727039.tif 000006
【図６】
0005727039.tif 000007
【図７】
0005727039.tif 000008
【図８】
0005727039.tif 000009
【図９】
0005727039.tif 000010
【図１０】
0005727039.tif 000011
【図１１】
0005727039.tif 000012
【図１２】
0005727039.tif 000013
【図１３】
0005727039.tif 000014
【図１４】
0005727039.tif 000015
【図１５】
0005727039.tif 000016
【図１６】
0005727039.tif 000017
【図１７】
0005727039.tif 000018
【図１８】
0005727039.tif 000019
【図１９】
0005727039.tif 000020
【図２０】
0005727039.tif 000021
【図２１】
0005727039.tif 000022
【図２２】
0005727039.tif 000023
【図２３】
0005727039.tif 000024
【図２４】
0005727039.tif 000025
【図２５】
0005727039.tif 000026
【図２６】
0005727039.tif 000027
【図２７】
0005727039.tif 000028
【図２８】
0005727039.tif 000029
【図２９】
0005727039.tif 000030
【図３０】
0005727039.tif 000031